(57)【要約】有利に透明な、場合により既に１つ又は複数の反射層で被覆された基板を有し、この基板の表面上に光により書き込み可能な情報層、場合により１つ又は複数の反射層及び場合により保護層又は他の基板又はカバー層が設けられていて、青色光、赤色光又は赤外線、有利にレーザー光により書き込み及び読み出すことができ、前記の情報層は吸光性化合物及び場合により結合剤を含有する光学データ記録媒体において、吸光性化合物として少なくとも１種のカチオン性アミノ複素環式色素が使用されていることを特徴とする光学データ記録媒体。【特許請求の範囲】
【請求項１】
有利に透明な、場合により既に１つ又は複数の反射層で被覆された基板を有し、この基板の表面上に光により書き込み可能な情報層、場合により１つ又は複数の反射層及び場合により保護層又は他の基板又はカバー層が設けられていて、青色光、赤色光又は赤外線、有利にレーザー光により書き込み及び読み出すことができ、前記の情報層は吸光性化合物及び場合により結合剤を含有する光学データ記録媒体において、吸光性化合物として少なくとも１種のカチオン性アミノ複素環式色素が使用されていることを特徴とする光学データ記録媒体。
【請求項２】
カチオン性アミノ複素環式色素が、式Ｉ
【化１】
2004525799.tif 000040
［式中、
Ｘ１はＯ又はＳを表し、
Ｘ２はＣＲ１０又はＮを表し、
Ｒ３は水素、Ｃ１〜Ｃ６−アルキル、ハロゲン、ヒドロキシ、Ｃ６〜Ｃ１０−アリール、ＮＲ８Ｒ９又は−ＣＨ＝Ｙ−Ａを表し、
Ｒ１、Ｒ２、Ｒ８及びＲ９は互いに無関係に水素、Ｃ１〜Ｃ６−アルキル、Ｃ５〜Ｃ７−シクロアルキル、Ｃ６〜Ｃ１０−アリール又はＣ７〜Ｃ１５−アラルキルを表すか、又は
ＮＲ１Ｒ２及びＮＲ８Ｒ９は互いに無関係にピロリジノ、モルホリノ、ピペラジノ又はピペリジノを表し、
Ｒ１０は水素、シアノ、Ｃ１〜Ｃ６−アルキル、ハロゲン又はＣ６〜Ｃ１０−アリールを表し、
Ｙは＝Ｙ１−（Ｙ２＝Ｙ３）ｎ−を表し、
Ｙ１〜Ｙ３は互いに無関係にＮ又はＣ−Ｒ１８を表し、その際、ｎ＝１の場合、それぞれＹ１；Ｙ２、Ｙ１；Ｙ３又はＹ２；Ｙ３の基Ｒ１８は架橋を形成することができ、
ｎは０又は１を表し、
Ｒ１８は水素、シアノ又はＣ１〜Ｃ３−アルキルを表し、
Ａは式
【化２】
2004525799.tif 000041
［式中、
Ｘ３はＯ又はＳを表し、
Ｘ４はＣＲ１１又はＮを表し、
Ｒ６は水素、Ｃ１〜Ｃ６−アルキル、ハロゲン、ヒドロキシ、Ｃ６〜Ｃ１０−アリール又はＮＲ１２Ｒ１３を表すか、又は
Ｒ３及びＲ６は−Ｏ−、−ＣＨ２−又は−Ｃ（ＣＨ３）２−架橋か、又は式
【化３】
2004525799.tif 000042
の架橋を形成することができ、但し、アスタリスク（＊）のＣ原子から２個の単結合が出ており、
Ｒ４、Ｒ５、Ｒ１２及びＲ１３は互いに無関係に水素、Ｃ１〜Ｃ６−アルキル、Ｃ５〜Ｃ７−シクロアルキル、Ｃ６〜Ｃ１０−アリール又はＣ７〜Ｃ１５−アラルキルを表すか、又は
ＮＲ４Ｒ５及びＮＲ１２Ｒ１３は互いに無関係にピロリジノ、モルホリノ、ピペラジノ又はピペリジノを表し、
Ｒ１１は水素、シアノ、Ｃ１〜Ｃ６−アルキル、ハロゲン又はＣ６〜Ｃ１０−アリールを表し、
Ｘ５は窒素を表すか、又は
Ｘ５−Ｘ７はＳを表し、
Ｘ６はＯ、Ｓ、Ｎ−Ｒ１９、ＣＲ２０又はＣＲ２０Ｒ２１を表し、
Ｙ０はＮ又はＣ−Ｒ１８を表し、
Ｒ７及びＲ１９は互いに無関係にＣ１〜Ｃ１６−アルキル、Ｃ３〜Ｃ６−アルケニル、Ｃ５〜Ｃ７−シクロアルキル又はＣ７〜Ｃ１６−アラルキルを表し、
Ｒ２０及びＲ２１は互いに無関係にＣ１〜Ｃ４−アルキルを表すか、又は
ＣＲ２０Ｒ２１は式
【化４】
2004525799.tif 000043
の２価の基を表し、但し、アスタリスク（＊）の環原子から２個の結合が出ており、
ＢはＸ５、Ｘ６及びその間に結合されているＣ原子と一緒に、５員又は６員の芳香族複素環もしくは準芳香族複素環もしくは部分水素化複素環を表し、これは１〜４個のヘテロ原子を有してよく、及び／又はベンゼン縮合又はナフタレン縮合されていてよく、及び／又は非イオン性の基により置換されていてよく、
Ｒ１４及びＲ１５は互いに無関係に水素、Ｃ１〜Ｃ１６−アルキル、Ｃ４〜Ｃ７−シクロアルキル、Ｃ７〜Ｃ１６−アラルキル、、Ｃ６〜Ｃ１０−アリール又は複素環式基を表すか、又は
ＮＲ１４Ｒ１５はＮを介して結合されている５員又は６員の飽和環を表し、これは付加的にＮ又はＯを有してよく、及び／又は非イオン性の基により置換されていてよく、
Ｒ１６及びＲ１６’は互いに無関係に水素、Ｃ１〜Ｃ１６−アルキル、Ｃ１〜Ｃ１６−アルコキシ又はハロゲンを表すか、又は
Ｒ１６；Ｒ１４及び／又はＲ１６’；Ｒ１５は２員又は３員の架橋を形成し、これはＯ又はＮを有してよく、及び／又は非イオン性の基により置換されていてよく、
Ｒ１７は水素、Ｃ１〜Ｃ１６−アルキル、Ｃ１〜Ｃ１６−アルコキシ、ハロゲン、シアノ、Ｃ１〜Ｃ４−アルコキシカルボニル、Ｏ−ＣＯ−Ｒ２２、ＮＲ２３−ＣＯ−Ｒ２２、Ｏ−ＳＯ２−Ｒ２２又はＮＲ２３−ＳＯ２−Ｒ２２を表し、
Ｒ２２は水素、Ｃ１〜Ｃ１６−アルキル、Ｃ４〜Ｃ７−シクロアルキル、Ｃ７〜Ｃ１６−アラルキル、Ｃ１〜Ｃ１６−アルコキシ、モノ−又はビス−Ｃ１〜Ｃ１６−アルキルアミノ、Ｃ６〜Ｃ１０−アリール、Ｃ６〜Ｃ１０−アリールオキシ、Ｃ６〜Ｃ１０−アリールアミノ又は複素環式基を表し、
Ｒ２３は水素又はＣ１〜Ｃ４−アルキルを表す］
の基を表し、
Ａｎ−はアニオンを表す］
に相当する、請求項１記載の光学データ記録媒体。
【請求項３】
式（Ｉ）において、
式
【化５】
2004525799.tif 000044
の環Ｂは、
ベンゾチアゾール−２−イリデン、１，３−チアゾール−２−イリデン、イソチアゾール−３−イリデン、ベンズオキサゾール−２−イリデン、１，３−オキサゾール−２−イリデン、イソキサゾール−３−イリデン、ベンズイミダゾール−２−イリデン、イミダゾール−２−イリデン、ピラゾール−５−イリデン、１，３，４−チアジアゾール−２−イリデン、１，３，４−オキサゾール−２−イリデン、１，２，４−チアジアゾール−５−イリデン、１，３，４−トリアゾール−２−イリデン、１，３−ジチオール−２−イリデン、３Ｈ−インドール−２−イリデン、ジヒドロピリジン−２−もしくは４−イリデン、ジヒドロキノリン−２−もしくは４−イリデン、１，３−チアゾリン−２−イリデン、１，３−オキサゾリン−２−イリデン、イミダゾリン−２−イリデン又はピロリン−２−イリデンを表し、その際、上記環はそれぞれＣ１〜Ｃ６−アルキル、Ｃ１〜Ｃ６−アルコキシ、フッ素、塩素、臭素、ヨウ素、シアノ、ニトロ、Ｃ１〜Ｃ６−アルコキシカルボニル、Ｃ１〜Ｃ６−アルキルチオ、Ｃ１〜Ｃ６−アシルアミノ、Ｃ６〜Ｃ１０−アリール、Ｃ６〜Ｃ１０−アリールオキシ、Ｃ６〜Ｃ１０−アリールカルボニルアミノ、モノ−もしくはジ−Ｃ１〜Ｃ６−アルキルアミノ、Ｎ−Ｃ１〜Ｃ６−アルキル−Ｎ−Ｃ６〜Ｃ１０−アリールアミノ、ピロリジノ、モルホリノ又はピペリジノにより置換されていてよい、請求項１又は２記載の光学データ記録媒体。
【請求項４】
カチオン性アミノ複素環式色素として、式（ＶＩ）
【化６】
2004525799.tif 000045
［式中、
Ｘ１及びＸ３は互いに無関係にＯ又はＳを表し、
Ｘ２はＣＲ１０又はＮを表し、
Ｘ４はＣＲ１１又はＮを表し、
Ｒ３は水素、メチル、エチル、プロピル、ブチル、塩素、フェニル、トリル、メトキシフェニル、キシリル又はＮＲ８Ｒ９を表し、
Ｒ６は水素、メチル、エチル、プロピル、ブチル、塩素、フェニル、トリル、メトキシフェニル、キシリル又はＮＲ１２Ｒ１３を表すか、又は
ｎ＝０の場合、Ｒ３及びＲ６は一緒に−Ｏ−、−ＣＨ２−又は−Ｃ（ＣＨ３）２−架橋を形成し、
Ｒ１、Ｒ２、Ｒ４、Ｒ５、Ｒ８、Ｒ９、Ｒ１２及びＲ１３は互いに無関係に水素、メチル、エチル、プロピル、ブチル、シアンエチル、ヒドロキシエチル、ヒドロキシプロピル、シクロペンチル、シクロへキシル、フェニル、トリル、メトキシフェニル、キシリル、ベンジル、フェネチル又はフェニルプロピルを表すか、又は
ＮＲ１Ｒ２、ＮＲ４Ｒ５、ＮＲ８Ｒ９及びＮＲ１２Ｒ１３は互いに無関係にピロリジノ、モルホリノ、ピペラジノ、Ｎ−メチル−ピペラジノ又はピペリジノを表し、
Ｒ１０及びＲ１１は互いに無関係に水素、シアノ、メチル、エチル、プロピル、ブチル、フェニル、トリル、メトキシフェニル又はキシリルを表し、
Ｙは＝Ｙ１−（Ｙ２＝Ｙ３）ｎ−又はＮを表し、
Ｙ１〜Ｙ３はＣＨを表し、
ｎは０又は１を表し、
Ａｎ−はアニオンを表す］
の色素が使用されている、請求項１又は２記載の光学データ記録媒体。
【請求項５】
カチオン性アミノ複素環式色素として、式（ＶＩＩ）
【化７】
2004525799.tif 000046
［式中、
Ｘ１はＯ又はＳを表し、
Ｘ２はＣＲ１０又はＮを表し、
Ｒ３は水素、メチル、エチル、プロピル、ブチル、塩素、フェニル、トリル、メトキシフェニル、キシリル又はＮＲ８Ｒ９を表し、
Ｒ１、Ｒ２、Ｒ８及びＲ９は互いに無関係に水素、メチル、エチル、プロピル、ブチル、シアンエチル、ヒドロキシエチル、ヒドロキシプロピル、シクロペンチル、シクロヘキシル、フェニル、トリル、メトキシフェニル、キシリル、ベンジル、フェネチル又はフェニルプロピルを表すか、又は
ＮＲ１Ｒ２及びＮＲ８Ｒ９は互いに無関係にピロリジノ、モルホリノ、ピペラジノ、Ｎ−メチル−ピペラジノ又はピペリジノを表し、
Ｒ１０は水素、シアノ、メチル、エチル、プロピル、ブチル、フェニル、トリル、メトキシフェニル又はキシリルを表し、
環Ｂは、Ｘ５がＮを表す場合、Ｘ５及びＸ６と一緒に、ベンゾチアゾール−２−イリデン、１，３−チアゾール−２−イリデン、ベンズオキサゾール−２−イリデン、ベンズイミダゾール−２−イリデン、３Ｈ−インドール−２−イリデン、ジヒドロピリジン−２−もしくは４−イリデン、ジヒドロキノリン−２−もしくは４−イリデン、１，３−チアゾリン−２−イリデン、１，３−オキサゾリン−２−イリデン、イミダゾリン−２−イリデン又はピロリン−２−イリデンを表すか、又はＸ５−Ｘ７がＳを表す場合、１，３−ジチオール−２−イリデンを表し、その際、上記環はそれぞれメチル、エチル、トリフルオロメチル、メトキシ、エトキシ、フッ素、塩素、臭素、シアノ、ニトロ、メトキシカルボニル、エトキシカルボニル、メチルチオ、ホルミルアミノ、アセチルアミノ、プロピオニルアミノ、フェニル、トリル、メトキシフェニル、フェノキシ、ベンゾイルアミノ、ジメチルアミノ、ジエチルアミノ、ジプロピルアミノ、Ｎ−メチル−Ｎ−フェニルアミノ、ピロリジノ、モルホリノ又はピペリジノの一連の３個までの基により置換されていてよく、
Ｒ７はメチル、エチル、プロピル、ブチル、シアンエチル、ヒドロキシエチル、ヒドロキシプロピル、アリル、シクロペンチル、シクロヘキシル、ベンジル、フェネチル又はフェニルプロピルを表し、
Ｙは＝Ｙ１−（Ｙ２＝Ｙ３）ｎ−又はＮを表し、
Ｙ１〜Ｙ３はＣＨを表し、
ｎは０又は１を表し、
Ｙ０はＣＨ又はＮを表し、
Ａｎ−はアニオンを表す］
の色素が使用されている、請求項１から３までのいずれか１項記載の光学データ記録媒体。
【請求項６】
カチオン性アミノ複素環式色素として、式（ＶＩＩＩ）
【化８】
2004525799.tif 000047
［式中、
Ｘ１はＯ又はＳを表し、
Ｘ２はＣＲ１０又はＮを表し、
Ｒ３は水素、メチル、エチル、プロピル、ブチル、塩素、フェニル、トリル、メトキシフェニル、キシリル又はＮＲ８Ｒ９を表し、
Ｒ１、Ｒ２、Ｒ８及びＲ９は互いに無関係に水素、メチル、エチル、プロピル、ブチル、シアンエチル、ヒドロキシエチル、ヒドロキシプロピル、シクロペンチル、シクロヘキシル、フェニル、トリル、メトキシフェニル、キシリル、ベンジル、フェネチル又はフェニルプロピルを表すか、又は
ＮＲ１Ｒ２及びＮＲ８Ｒ９は互いに無関係にピロリジノ、モルホリノ、ピペラジノ、Ｎ−メチル−ピペラジノ又はピペリジノを表し、
Ｒ１０は水素、シアノ、メチル、エチル、プロピル、ブチル、フェニル、トリル、メトキシフェニル又はキシリルを表し、
Ｒ１４及びＲ１５は互いに無関係に水素、メチル、エチル、プロピル、ブチル、シアンエチル、ヒドロキシエチル、ヒドロキシプロピル、シクロペンチル、シクロヘキシル、フェニル、トリル、メトキシフェニル、キシリル、ベンジル、フェネチル、フェニルプロピル、ピリジル又は式
【化９】
2004525799.tif 000048
の基を表すか、又は
ＮＲ１４Ｒ１５はピロリジノ、モルホリノ、ピペラジノ、Ｎ−メチル−ピペラジノ又はピペリジノを表し、
Ｒ１６及びＲ１６’は互いに無関係に水素、メチル、エチル、メトキシ、エトキシ又は塩素を表すか、又は
Ｒ１６；Ｒ１５及び／又はＲ１６’；Ｒ１４は−（ＣＨ２）２−又は−（ＣＨ２）３−架橋を形成し、これは３個までのメチル基により置換されていてよく、
Ｒ１７は水素、メチル、エチル、メトキシ、エトキシ、塩素、シアノ、メトキシカルボニル、エトキシカルボニル、Ｏ−ＣＯ−Ｒ２２、ＮＲ２３−ＣＯ−Ｒ２２、Ｏ−ＳＯ２−Ｒ２２又はＮＲ２３−ＳＯ２−Ｒ２２を表し、
Ｒ２２はメチル、エチル、トリフルオロメチル、シクロペンチル、シクロヘキシル、ベンジル、メトキシ、エトキシ、ジメチルアミノ、ジエチルアミノ、メチルアミノ、フェニル、フェノキシ、アニリノ又はピリジルを表し、
Ｒ２３は水素又はメチルを表し、
Ｙは＝Ｙ１−（Ｙ２＝Ｙ３）ｎ−又はＮを表し、
Ｙ１〜Ｙ３はＣＨを表し、
ｎは０又は１を表し、
Ａｎ−はアニオンを表す］
の色素が使用されている、請求項１又は２記載の光学データ記録媒体。
【請求項７】
カチオン性アミノ複素環式色素が式（Ｉ）
【化１０】
2004525799.tif 000049
［式中、
Ｘ１はＯ、Ｓ又はＳｅを表し、
Ｘ２はＣＲ１０又はＮを表し、
Ｒ３は水素、Ｃ１〜Ｃ６−アルキル、ハロゲン、ヒドロキシ、Ｃ６〜Ｃ１０−アリール、ＮＲ８Ｒ９又は−ＣＨ＝Ｙ−Ａを表し、
Ｒ１、Ｒ２、Ｒ８及びＲ９は互いに無関係に水素、Ｃ１〜Ｃ６−アルキル、Ｃ５〜Ｃ７−シクロアルキル、Ｃ６〜Ｃ１０−アリール又はＣ７〜Ｃ１５−アラルキルを表すか、又は
ＮＲ１Ｒ２及びＮＲ８Ｒ９は互いに無関係にピロリジノ、モルホリノ、ピペラジノ又はピペリジノを表し、
Ｒ１０は水素、シアノ、Ｃ１〜Ｃ６−アルキル、ハロゲン又はＣ６〜Ｃ１０−アリールを表し、
Ｙは＝Ｙ１−（Ｙ２＝Ｙ３）ｎ−を表し、
Ｙ１〜Ｙ３は互いに無関係にＮ又はＣ−Ｒ１８を表し、その際、ｎ＝１の場合、それぞれＹ１；Ｙ２、Ｙ１；Ｙ３又はＹ２；Ｙ３の基Ｒ１８は架橋を形成することができ、
ｎは０又は１を表し、
Ｒ１８は水素、シアノ、Ｃ１〜Ｃ３−アルキル又は基Ａを表し、
Ａは式
【化１１】
2004525799.tif 000050
［式中、
Ｘ３はＯ、Ｓ又はＳｅを表し、
Ｘ４はＣＲ１１又はＮを表し、
Ｒ６は水素、Ｃ１〜Ｃ６−アルキル、ハロゲン、ヒドロキシ、Ｃ６〜Ｃ１０−アリール又はＮＲ１２Ｒ１３を表すか、又は
Ｒ３及びＲ６は−Ｏ−、−ＣＨ２−又は−Ｃ（ＣＨ３）２−架橋か、又は式
【化１２】
2004525799.tif 000051
の架橋を形成することができ、但し、アスタリスク（＊）のＣ原子から２個の単結合が出ており、
Ｒ４、Ｒ５、Ｒ１２及びＲ１３は互いに無関係に水素、Ｃ１〜Ｃ６−アルキル、Ｃ５〜Ｃ７−シクロアルキル、Ｃ６〜Ｃ１０−アリール又はＣ７〜Ｃ１５−アラルキルを表すか、又は
ＮＲ４Ｒ５及びＮＲ１２Ｒ１３は互いに無関係にピロリジノ、モルホリノ、ピペラジノ又はピペリジノを表し、
Ｒ１１は水素、シアノ、Ｃ１〜Ｃ６−アルキル、ハロゲン又はＣ６〜Ｃ１０−アリールを表し、
Ｘ５は窒素を表すか、又は
Ｘ５−Ｘ７はＳを表し、
Ｘ６はＯ、Ｓ、Ｎ−Ｒ１９、ＣＲ２０又はＣＲ２０Ｒ２１を表し、
Ｙ０はＮ又はＣ−Ｒ１８を表し、
Ｒ７及びＲ１９は互いに無関係にＣ１〜Ｃ１６−アルキル、Ｃ３〜Ｃ６−アルケニル、Ｃ５〜Ｃ７−シクロアルキル又はＣ７〜Ｃ１６−アラルキルを表し、
Ｒ２０及びＲ２１は互いに無関係にＣ１〜Ｃ４−アルキルを表すか、又は
ＣＲ２０Ｒ２１は式
【化１３】
2004525799.tif 000052
の２価の基を表し、但し、アスタリスク（＊）の環原子から２個の結合が出ており、
ＢはＸ５、Ｘ６及びその間に結合されているＣ原子と一緒に、５員又は６員の芳香族複素環もしくは準芳香族複素環もしくは部分水素化複素環を表し、これは１〜４個のヘテロ原子を有してよく、及び／又はベンゼン縮合又はナフタレン縮合されていてよく、及び／又は非イオン性の基により置換されていてよく、
Ｒ１４及びＲ１５は互いに無関係に水素、Ｃ１〜Ｃ１６−アルキル、Ｃ４〜Ｃ７−シクロアルキル、Ｃ７〜Ｃ１６−アラルキル、Ｃ６〜Ｃ１０−アリール又は複素環式基を表すか、又は
ＮＲ１４Ｒ１５はＮを介して結合されている５員又は６員の飽和環を表し、これは付加的にＮ又はＯを有してよく、及び／又は非イオン性の基により置換されていてよく、
Ｒ１６及びＲ１６’は互いに無関係に水素、Ｃ１〜Ｃ１６−アルキル、Ｃ１〜Ｃ１６−アルコキシ又はハロゲンを表すか、又は
Ｒ１６；Ｒ１４及び／又はＲ１６’；Ｒ１５は２員又は３員の架橋を形成し、これはＯ又はＮを有してよく、及び／又は非イオン性の基により置換されていてよく、
Ｒ１７は水素、Ｃ１〜Ｃ１６−アルキル、Ｃ１〜Ｃ１６−アルコキシ、ハロゲン、シアノ、Ｃ１〜Ｃ４−アルコキシカルボニル、Ｏ−ＣＯ−Ｒ２２、ＮＲ２３−ＣＯ−Ｒ２２、Ｏ−ＳＯ２−Ｒ２２又はＮＲ２３−ＳＯ２−Ｒ２２を表し、
Ｒ２２は水素、Ｃ１〜Ｃ１６−アルキル、Ｃ４〜Ｃ７−シクロアルキル、Ｃ７〜Ｃ１６−アラルキル、Ｃ１〜Ｃ１６−アルコキシ、モノ−もしくはビス−Ｃ１〜Ｃ１６−アルキルアミノ、Ｃ６〜Ｃ１０−アリール、Ｃ６〜Ｃ１０−アリールオキシ、Ｃ６〜Ｃ１０−アリールアミノ又は複素環式基を表し、
Ｒ２３は水素又はＣ１〜Ｃ４−アルキルを表す］
の基を表し、
Ａｎ−はアニオンを表す］
に相当する、請求項１記載の光学データ記録媒体。
【請求項８】
式（Ｉ）において、
式
【化１４】
2004525799.tif 000053
の環Ｂは、
ベンゾチアゾール−２−イリデン、１，３−チアゾール−２−イリデン、イソチアゾール−３−イリデン、ベンズオキサゾール−２−イリデン、１，３−オキサゾール−２−イリデン、イソキサゾール−３−イリデン、ベンズイミダゾール−２−イリデン、イミダゾール−２−イリデン、ピラゾール−５−イリデン、１，３，４−チアジアゾール−２−イリデン、１，３，４−オキサゾール−２−イリデン、１，２，４−チアジアゾール−５−イリデン、１，３，４−トリアゾール−２−イリデン、３Ｈ−インドール−２−イリデン、ジヒドロピリジン−２−もしくは４−イリデン、ジヒドロキノリン−２−もしくは４−イリデン、１，３−チアゾリン−２−イリデン、１，３−オキサゾリン−２−イリデン、イミダゾリン−２−イリデン又はピロリン−２−イリデンを表し、その際、Ｘ５はＮを表し、かつＲ７により置換されているか、又は環Ｂは１，３−ジチオール−２−イリデンを表し、その際、Ｘ５−Ｒ７はＳを表し、
その際、上記環はそれぞれＣ１〜Ｃ６−アルキル、Ｃ１〜Ｃ６−アルコキシ、フッ素、塩素、臭素、ヨウ素、シアノ、ニトロ、Ｃ１〜Ｃ６−アルコキシカルボニル、Ｃ１〜Ｃ６−アルキルチオ、Ｃ１〜Ｃ６−アシルアミノ、Ｃ６〜Ｃ１０−アリール、Ｃ６〜Ｃ１０−アリールオキシ、Ｃ６〜Ｃ１０−アリールカルボニルアミノ、モノ−もしくはジ−Ｃ１〜Ｃ６−アルキルアミノ、Ｎ−Ｃ１〜Ｃ６−アルキル−Ｎ−Ｃ６〜Ｃ１０−アリールアミノ、ピロリジノ、モルホリノ又はピペリジノにより置換されていてよい、請求項１又は７記載の光学データ記録媒体。
【請求項９】
カチオン性アミノ複素環式色素として、式（ＶＩ）
【化１５】
2004525799.tif 000054
［式中、
Ｘ１、Ｘ３及びＸ３＊は互いに無関係にＯ、Ｓ又はＳｅを表し、
Ｘ２はＣＲ１０又はＮを表し、
Ｘ４及びＸ４＊は互いに無関係にＣＲ１１又はＮを表し、
Ｒ３は水素、メチル、エチル、プロピル、ブチル、塩素、フェニル、トリル、メトキシフェニル、キシリル又はＮＲ８Ｒ９を表し、
Ｒ６及びＸ６＊は互いに無関係に水素、メチル、エチル、プロピル、ブチル、塩素、フェニル、トリル、メトキシフェニル、キシリル又はＮＲ１２Ｒ１３を表すか、又は
ｎ＝０の場合、Ｒ３及びＲ６は一緒に−Ｏ−、−ＣＨ２−又は−Ｃ（ＣＨ３）２−架橋を形成し、
Ｒ１、Ｒ２、Ｒ４、Ｒ４＊、Ｒ５、Ｒ５＊、Ｒ８、Ｒ９、Ｒ１２、Ｒ１３、Ｒ１４＊及びＲ１５＊は互いに無関係に水素、メチル、エチル、プロピル、ブチル、シアンエチル、ヒドロキシエチル、ヒドロキシプロピル、シクロペンチル、シクロヘキシル、フェニル、トリル、メトキシフェニル、キシリル、ベンジル、フェネチル又はフェニルプロピルを表すか、又は
ＮＲ１Ｒ２、ＮＲ４Ｒ５、ＮＲ４＊Ｒ５＊、ＮＲ８Ｒ９、ＮＲ１２Ｒ１３及びＮＲ１４＊Ｒ１５＊は互いに無関係にピロリジノ、モルホリノ、ピペラジノ、Ｎ−メチル−ピペラジノ又はピペリジノを表し、
Ｒ１０及びＲ１１は互いに無関係に水素、シアノ、メチル、エチル、プロピル、ブチル、フェニル、トリル、メトキシフェニル又はキシリルを表し、
Ｙは＝Ｙ１−（Ｙ２＝Ｙ３）ｎ−又はＮを表し、
ｎ＝０の場合、Ｙ１〜Ｙ３はＣＨを表し、かつＹ１は付加的にＣ−Ｒ１８を表し、
Ｒ１８は式
【化１６】
2004525799.tif 000055
の基を表し、
Ｒ１６＊及びＲ１６’＊は互いに無関係に水素、メチル、メトキシ又は塩素を表すか、又は
Ｒ１６＊；Ｒ１４＊及び／又はＲ１６’＊／Ｒ１５＊は−（ＣＨ２）２−又は−（ＣＨ２）３−架橋を形成することができ、
ｎは０又は１を表し、
Ａｎ−はアニオンを表す］
の色素が使用されている、請求項１、７及び８のいずれか１項記載の光学データ記録媒体。
【請求項１０】
カチオン性アミノ複素環式色素として、式（ＶＩＩ）
【化１７】
2004525799.tif 000056
［式中、
Ｘ１及びＸ３＊は互いに無関係にＯ、Ｓ又はＳｅを表し、
Ｘ２はＣＲ１０又はＮを表し、
Ｘ４＊はＣＲ１１又はＮを表し、
Ｒ３は水素、メチル、エチル、プロピル、ブチル、塩素、フェニル、トリル、メトキシフェニル、キシリル又はＮＲ８Ｒ９を表し、
Ｒ６＊は水素、メチル、エチル、プロピル、ブチル、塩素、フェニル、トリル、メトキシフェニル、キシリル又はＮＲ１２Ｒ１３を表し、
Ｒ１、Ｒ２、Ｒ４＊、Ｒ５＊、Ｒ８、Ｒ９、Ｒ１４＊及びＲ１５＊は互いに無関係に水素、メチル、エチル、プロピル、ブチル、シアンエチル、ヒドロキシエチル、ヒドロキシプロピル、シクロペンチル、シクロヘキシル、フェニル、トリル、メトキシフェニル、キシリル、ベンジル、フェネチル又はフェニルプロピルを表すか、又は
ＮＲ１Ｒ２、ＮＲ４＊Ｒ５＊、ＮＲ８Ｒ９及びＲ１４＊Ｒ１５＊は互いに無関係にピロリジノ、モルホリノ、ピペラジノ、Ｎ−メチル−ピペラジノ又はピペリジノを表し、
Ｒ１０及びＲ１１は互いに無関係に水素、シアノ、メチル、エチル、プロピル、ブチル、フェニル、トリル、メトキシフェニル又はキシリルを表し、
環Ｂは、Ｘ５がＮを表す場合、Ｘ５、Ｘ６及びＸ７と一緒に、ベンゾチアゾール−２−イリデン、１，３−チアゾール−２−イリデン、ベンズオキサゾール−２−イリデン、ベンズイミダゾール−２−イリデン、３Ｈ−インドール−２−イリデン、ジヒドロピリジン−２−もしくは４−イリデン、ジヒドロキノリン−２−もしくは４−イリデン、１，３−チアゾリン−２−イリデン、１，３−オキサゾリン−２−イリデン、イミダゾリン−２−イリデン又はピロリン−２−イリデンを表し、その際、上記複素環式基はそれぞれＸ５＝ＮにおいてＲ７により置換されているか、又はＸ５−Ｘ７がＳを表す場合、１，３−ジチオール−２−イリデンを表し、その際、上記環はそれぞれメチル、エチル、トリフルオロメチル、メトキシ、エトキシ、フッ素、塩素、臭素、シアノ、ニトロ、メトキシカルボニル、エトキシカルボニル、メチルチオ、ホルミルアミノ、アセチルアミノ、プロピオニルアミノ、フェニル、トリル、メトキシフェニル、フェノキシ、ベンゾイルアミノ、ジメチルアミノ、ジエチルアミノ、ジプロピルアミノ、Ｎ−メチル−Ｎ−フェニルアミノ、ピロリジノ、モルホリノ又はピペリジノの一連の３個までの基により置換されていてよく、
Ｒ７はメチル、エチル、プロピル、ブチル、シアンエチル、ヒドロキシエチル、ヒドロキシプロピル、アリル、シクロペンチル、シクロヘキシル、ベンジル、フェネチル又はフェニルプロピルを表し、
Ｙは＝Ｙ１−（Ｙ２＝Ｙ３）ｎ−又はＮを表し、
ｎ＝０の場合、Ｙ１〜Ｙ３はＣＨを表し、かつＹ１は付加的にＣ−Ｒ１８を表し、
Ｒ１８は式
【化１８】
2004525799.tif 000057
の基を表し、
Ｒ１６＊及びＲ１６’＊は互いに無関係に水素、メチル、メトキシ又は塩素を表すか、又は
Ｒ１６＊；Ｒ１４＊及び／又はＲ１６’＊／Ｒ１５＊は−（ＣＨ２）２−又は−（ＣＨ２）３−架橋を形成することができ、
ｎは０又は１を表し、
Ｙ０はＣＨ又はＮを表し、
Ａｎ−はアニオンを表す］
の色素が使用されている、請求項１、７及び８のいずれか１項記載の光学データ記録媒体。
【請求項１１】
カチオン性アミノ複素環式色素として、式（ＶＩＩＩ）
【化１９】
2004525799.tif 000058
［式中、
Ｘ１はＯ、Ｓ又はＳｅを表し、
Ｘ２はＣＲ１０又はＮを表し、
Ｒ３は水素、メチル、エチル、プロピル、ブチル、塩素、フェニル、トリル、メトキシフェニル、キシリル又はＮＲ８Ｒ９を表し、
Ｒ１、Ｒ２、Ｒ８、Ｒ９、Ｒ１４＊及びＲ１５＊は互いに無関係に水素、メチル、エチル、プロピル、ブチル、シアンエチル、ヒドロキシエチル、ヒドロキシプロピル、シクロペンチル、シクロへキシル、フェニル、トリル、メトキシフェニル、キシリル、ベンジル、フェネチル又はフェニルプロピルを表すか、又は
ＮＲ１Ｒ２、ＮＲ８Ｒ９及びＮＲ１４＊Ｒ１５＊は互いに無関係にピロリジノ、モルホリノ、ピペラジノ、Ｎ−メチル−ピペラジノ又はピペリジノを表し、
Ｒ１０は水素、シアノ、メチル、エチル、プロピル、ブチル、フェニル、トリル、メトキシフェニル又はキシリルを表し、
Ｒ１４及びＲ１５は互いに無関係に水素、メチル、エチル、プロピル、ブチル、シアンエチル、ヒドロキシエチル、ヒドロキシプロピル、シクロペンチル、シクロへキシル、フェニル、トリル、メトキシフェニル、キシリル、ベンジル、フェネチル又はフェニルプロピル、ピリジル又は式
【化２０】
2004525799.tif 000059
の基を表すか、又は
ＮＲ１４Ｒ１５はピロリジノ、モルホリノ、ピペラジノ、Ｎ−メチル−ピペラジノ又はピペリジノを表し、
Ｒ１６及びＲ１６’は互いに無関係に水素、メチル、エチル、メトキシ、エトキシ又は塩素を表すか、又は
Ｒ１６；Ｒ１５及び／又はＲ１６’；Ｒ１４は−（ＣＨ２）２−又は−（ＣＨ２）３−架橋を形成し、これは３個までのメチル基により置換されていてよく、
Ｒ１７は水素、メチル、エチル、メトキシ、エトキシ、塩素、シアノ、メトキシカルボニル、エトキシカルボニル、Ｏ−ＣＯ−Ｒ２２、ＮＲ２３−ＣＯ−Ｒ２２、Ｏ−ＳＯ２−Ｒ２２又はＮＲ２３−ＳＯ２−Ｒ２２を表し、
Ｒ２２はメチル、エチル、トリフルオロメチル、シクロペンチル、シクロヘキシル、ベンジル、メトキシ、エトキシ、ジメチルアミノ、ジエチルアミノ、メチルアミノ、フェニル、フェノキシ、アニリノ又はピリジルを表し、
Ｒ２３は水素又はメチルを表し、
Ｙは＝Ｙ１−（Ｙ２＝Ｙ３）ｎ−又はＮを表し、
ｎ＝０の場合、Ｙ１〜Ｙ３はＣＨを表し、かつＹ１は付加的にＣ−Ｒ１８を表すことができ、
Ｒ１８は式
【化２１】
2004525799.tif 000060
の基を表し、
Ｒ１６＊及びＲ１６’＊は互いに無関係に水素、メチル、メトキシ又は塩素を表すか、又は
Ｒ１６＊；Ｒ１４＊及び／又はＲ１６’＊；Ｒ１５＊は−（ＣＨ２）２−又は−（ＣＨ２）３−架橋を形成することができ、
ｎは０又は１を表し、
Ａｎ−はアニオンを表す］
の色素が使用されている、請求項１、７及び８のいずれか１項記載の光学データ記録媒体。
【請求項１２】
式（ＶＩ）
【化２２】
2004525799.tif 000061
［式中、
Ｘ１及びＸ３は互いに無関係にＯ又はＳを表し、
Ｘ２はＣＲ１０又はＮを表し、
Ｘ４はＣＲ１１又はＮを表し、
Ｒ３は水素、メチル、エチル、プロピル、ブチル、塩素、フェニル、トリル、メトキシフェニル、キシリル又はＮＲ８Ｒ９を表し、
Ｒ６は水素、メチル、エチル、プロピル、ブチル、塩素、フェニル、トリル、メトキシフェニル、キシリル又はＮＲ１２Ｒ１３を表すか、又は
ｎ＝０の場合、Ｒ３及びＲ６は一緒に−Ｏ−、−ＣＨ２−又は−Ｃ（ＣＨ３）２−架橋を形成し、
Ｒ１、Ｒ２、Ｒ４、Ｒ５、Ｒ８、Ｒ９、Ｒ１２及びＲ１３は互いに無関係に水素、プロピル、ブチル、シアンエチル、ヒドロキシエチル、ヒドロキシプロピル、シクロペンチル、シクロへキシル、フェニル、トリル、メトキシフェニル、キシリル、ベンジル、フェネチル又はフェニルプロピルを表すか、又は
ＮＲ１Ｒ２、ＮＲ４Ｒ５、ＮＲ８Ｒ９及びＮＲ１２Ｒ１３は互いに無関係にピロリジノ、ピペラジノ、Ｎ−メチル−ピペラジノ又はピペリジノを表し、
Ｒ１０及びＲ１１は互いに無関係に水素、シアノ、メチル、エチル、プロピル、ブチル、フェニル、トリル、メトキシフェニル又はキシリルを表し、
Ｙは＝Ｙ１−（Ｙ２＝Ｙ３）ｎ−又はＮを表し、
Ｙ１〜Ｙ３はＣＨを表し、
ｎは０又は１を表し、
Ａｎ−はアニオンを表す］
のカチオン性アミノ複素環式色素。
【請求項１３】
式（ＶＩＩ）
【化２３】
2004525799.tif 000062
［式中、
Ｘ１はＯ又はＳを表し、
Ｘ２はＣＲ１０又はＮを表し、
Ｒ３は水素、メチル、エチル、プロピル、ブチル、塩素、フェニル、トリル、メトキシフェニル、キシリル又はＮＲ８Ｒ９を表し、
Ｒ１、Ｒ２、Ｒ８及びＲ９は互いに無関係に水素、メチル、エチル、プロピル、ブチル、シアンエチル、ヒドロキシエチル、ヒドロキシプロピル、シクロペンチル、シクロヘキシル、フェニル、トリル、メトキシフェニル、キシリル、ベンジル、フェネチル又はフェニルプロピルを表すか、又は
ＮＲ１Ｒ２及びＮＲ８Ｒ９は互いに無関係にピロリジノ、モルホリノ、ピペラジノ、Ｎ−メチル−ピペラジノ又はピペリジノを表し、
Ｒ１０は水素、シアノ、メチル、エチル、プロピル、ブチル、フェニル、トリル、メトキシフェニル又はキシリルを表し、
環Ｂは、Ｘ５がＮを表す場合、Ｘ５及びＸ６と一緒に、ベンゾチアゾール−２−イリデン、１，３−チアゾール−２−イリデン、ベンズオキサゾール−２−イリデン、ベンズイミダゾール−２−イリデン、３Ｈ−インドール−２−イリデン、ジヒドロピリジン−２−もしくは４−イリデン、ジヒドロキノリン−２−もしくは４−イリデン、１，３−チアゾリン−２−イリデン、１，３−オキサゾリン−２−イリデン、イミダゾリン−２−イリデン又はピロリン−２−イリデンを表すか、又はＸ５−Ｘ７がＳを表す場合、１，３−ジチオール−２−イリデンを表し、その際、上記環はそれぞれメチル、エチル、トリフルオロメチル、メトキシ、エトキシ、フッ素、塩素、臭素、シアノ、ニトロ、メトキシカルボニル、エトキシカルボニル、メチルチオ、ホルミルアミノ、アセチルアミノ、プロピオニルアミノ、フェニル、トリル、メトキシフェニル、フェノキシ、ベンゾイルアミノ、ジメチルアミノ、ジエチルアミノ、ジプロピルアミノ、Ｎ−メチル−Ｎ−フェニルアミノ、ピロリジノ、モルホリノ又はピペリジノの一連の３個までの基により置換されていてよく、
Ｒ７はメチル、エチル、プロピル、ブチル、シアンエチル、ヒドロキシエチル、ヒドロキシプロピル、アリル、シクロペンチル、シクロヘキシル、ベンジル、フェネチル又はフェニルプロピルを表し、
Ｙは＝Ｙ１−（Ｙ２＝Ｙ３）ｎ−又はＮを表し、
Ｙ１〜Ｙ３はＣＨを表し、
ｎは０又は１を表し、
Ｙ０はＣＨ又はＮを表し、
Ａｎ−はアニオンを表す］
のカチオン性アミノ複素環式色素。
【請求項１４】
式（ＶＩＩＩ）
【化２４】
2004525799.tif 000063
［式中、
Ｘ１はＯ又はＳを表し、
Ｘ２はＣＲ１０又はＮを表し、
Ｒ３は水素、メチル、エチル、プロピル、ブチル、塩素、フェニル、トリル、メトキシフェニル、キシリル又はＮＲ８Ｒ９を表し、
Ｒ１、Ｒ２、Ｒ８及びＲ９は互いに無関係に水素、メチル、エチル、プロピル、ブチル、シアンエチル、ヒドロキシエチル、ヒドロキシプロピル、シクロペンチル、シクロヘキシル、フェニル、トリル、メトキシフェニル、キシリル、ベンジル、フェネチル又はフェニルプロピルを表すか、又は
ＮＲ１Ｒ２及びＮＲ８Ｒ９は互いに無関係にピロリジノ、ピペラジノ、Ｎ−メチル−ピペラジノ又はピペリジノを表し、
Ｒ１０は水素、シアノ、メチル、エチル、プロピル、ブチル、フェニル、トリル、メトキシフェニル又はキシリルを表し、
Ｒ１４及びＲ１５は互いに無関係に水素、メチル、エチル、プロピル、ブチル、シアンエチル、ヒドロキシエチル、ヒドロキシプロピル、シクロペンチル、シクロヘキシル、フェニル、トリル、メトキシフェニル、キシリル、ベンジル、フェネチル、フェニルプロピル、ピリジル又は式
【化２５】
2004525799.tif 000064
の基を表すか、又は
ＮＲ１４Ｒ１５はピロリジノ、モルホリノ、ピペラジノ、Ｎ−メチル−ピペラジノ又はピペリジノを表し、
Ｒ１６及びＲ１６’は互いに無関係に水素、メチル、エチル、メトキシ、エトキシ又は塩素を表すか、又は
Ｒ１６；Ｒ１５及び／又はＲ１６’；Ｒ１４は−（ＣＨ２）２−又は−（ＣＨ２）３−架橋を形成し、これは３個までのメチル基により置換されていてよく、
Ｒ１７は水素、メチル、エチル、メトキシ、エトキシ、塩素、シアノ、メトキシカルボニル、エトキシカルボニル、Ｏ−ＣＯ−Ｒ２２、ＮＲ２３−ＣＯ−Ｒ２２、Ｏ−ＳＯ２−Ｒ２２又はＮＲ２３−ＳＯ２−Ｒ２２を表し、
Ｒ２２はメチル、エチル、トリフルオロメチル、シクロペンチル、シクロヘキシル、ベンジル、メトキシ、エトキシ、ジメチルアミノ、ジエチルアミノ、メチルアミノ、フェニル、フェノキシ、アニリノ又はピリジルを表し、
Ｒ２３は水素又はメチルを表し、
Ｙは＝Ｙ１−（Ｙ２＝Ｙ３）ｎ−又はＮを表し、
Ｙ１〜Ｙ３はＣＨを表し、
ｎは０又は１を表し、
Ａｎ−はアニオンを表す］
のカチオン性アミノ複素環式色素。
【請求項１５】
カチオン性アミノ複素環式色素が４２０〜６５０ｎｍの範囲内の吸収極大λｍａｘ２を有するか、又は６５０〜８１０ｎｍの範囲内の吸収極大λｍａｘ３を有する、ライトワンス型光学データ記録媒体の情報層におけるカチオン性アミノ複素環式色素の使用。
【請求項１６】
データ記録媒体が青色レーザー光、赤色レーザー光又は赤外線レーザー光で書き込まれ、かつ読み出される、ライトワンス型光学データ記録媒体の情報層におけるカチオン性アミノ複素環式色素の使用。
【請求項１７】
請求項１記載の光学データ記録媒体の製造法において、有利に透明な、場合により既に反射層で被覆された基板をカチオン性アミノ複素環式色素で、場合により適当な結合剤及び添加物及び場合により適当な溶剤と組み合わせて被覆し、かつ場合により反射層、他の中間層及び場合により保護層又はもう１つの基板又はカバー層を設けることを特徴とする製造法。
【請求項１８】
青色光、赤色光、赤外線、殊に赤色光、殊に赤色レーザー光で書き込まれた、請求項１記載の光学データ記録媒体。
【発明の詳細な説明】
【技術分野】
【０００１】
本発明は、情報層中に吸光性化合物としてカチオン性アミノ複素環式色素を含有するライトワンス型光学データ記録媒体、並びにその製造方法、並びにスピンコーティング又は蒸着による、ポリマー基板、殊にポリカーボネート上への上記の色素の適用に関する。
【０００２】
特別な吸光性物質もしくはこの混合物を使用したライトワンス型光学データ記録媒体は、青色レーザーダイオード、殊にＧａＮ又はＳＨＧレーザーダイオード（３６０〜４６０ｎｍ）を用いて作業する高密度で書き込み可能な光学データ記録において使用するために、及び／又は赤色（６３５〜６６０ｎｍ）もしくは赤外線（７８０〜８３０ｎｍ）レーザーダイオードを用いて作業するＤＶＤ−ＲもしくはＣＤ−Ｒディスクにおいて使用するために特に適している。
【０００３】
ライトワンス型コンパクトディスク（ＣＤ−Ｒ、７８０ｎｍ）は、最近では著しい量的成長を遂げていて、技術的に確立されたシステムである。
【０００４】
次世代の光学データ記録のＤＶＤは急速に市場に導入されている。短波長レーザー放射線（６３５〜６６０ｎｍ）並びに高い開口数ＮＡを使用することにより、記録密度は高めることができる。この書き込み可能なフォーマットは、この場合、ＤＶＤ−Ｒである。
【０００５】
現在、高いレーザー効率を有する青色レーザダイオード（ＧａＮベース、JP 08191171又は第２高調波発生(Second Harmonie Generation)  ＳＨＧ、JP 09050629）（３６０ｎｍ〜４６０ｎｍ）を利用する光学データ記録フォーマットが開発されている。従って、書き込み可能な光学データ記録はこの世代でも使用される。この書き込み可能な記録密度は、情報面でのレーザースポットの焦点合わせに依存する。この場合、このスポットサイズはレーザー波長λ／ＮＡで測られる。ＮＡは使用した対物レンズの開口数である。できる限り高い記録密度を達成するために、できる限り小さな波長λを使用するようにしなければならない。現在では半導体レーザーダイオードに基づき３９０ｎｍが可能である。
【０００６】
特許文献では、色素をベースとして書き込み可能な光学データ記録が記載されていて、この光学データ記録はＣＤ−Ｒ及びＤＶＤ−Ｒシステムにも同様に適している（JP-A 11 043 481及びJP-A 10 181 206）。この場合、読み取り信号の高い反射及び高い変調高さ、並びに書き込み時の十分な感度について、ＣＤ−ＲのＩＲ波長７８０ｎｍが色素の吸収ピークの長波長側の脚部にあり、ＤＶＤ−Ｒの赤色波長６３５ｎｍもしくは６５０ｎｍが色素の吸収ピークの短波長側の脚部にあることを実際に使用する。この構想は、JP-A 02557335, JP-A 10058828 , JP-A 06336086, JP-A 02 865 955, WO-A 09 917 284及びUS- A 5 266 699では、短波長側の作業波長は４５０ｎｍの領域に拡張され、かつ吸収ピークの長波長側では赤色及びＩＲ領域に拡張されている。
【０００７】
上記の光学特性の他に、書き込み又は読み出し時の雑音信号をできる限り小さく保つために、吸光性有機物質からなる書き込み可能な情報層はできる限り非晶質の形態を示さなければならない。このため、物質を溶液からスピンコーティングにより適用する際、次に真空中で金属層又は誘電層で被覆する場合に蒸着により及び／又は昇華により適用する際に、吸光性物質の結晶化を抑制するのが特に有利である。
【０００８】
吸光性物質からなる非晶質層は、有利に高い熱形状安定性を示すのが有利であり、それというのも、そうでないと吸光性情報層上にスパッタ又は蒸着によって設けられる有機又は無機材料からなる他の層は拡散によって不明瞭な界面が形成されてしまい、それにより反射に不利な影響を及ぼしてしまうためである。さらに、低すぎる熱形状安定性を示す吸光性物質は、ポリマーのキャリアに対する境界面でそのキャリア内へ拡散し、またも反射に不利な影響を及ぼしかねない。
【０００９】
吸光性物質の高すぎる蒸気圧は、前記した他の層を高真空中でスパッタもしくは蒸着する際に昇華し、それにより所望の層厚が減少してしまいかねない。これは、またも反射に不利に影響を及ぼす。
【００１０】
従って、本発明の課題は、ライトワンス型光学データ記録媒体の情報層中に使用するための高い要求、特にレーザー波長領域３４０〜８３０ｎｍで高密度で書き込み可能な光学データ記録−フォーマットのための高い要求（例えば光安定性、適切な信号−雑音−比、基板材料上での損傷のない被着等）を満たす適当な化合物を提供することである。
【００１１】
意外にも、カチオン性アミノ複素環式色素のグループからの吸光性化合物が特に良好に前記の要求を満たすことができることが見出された。
【００１２】
従って、本発明は、有利に透明な、場合により既に１つ又は複数の反射層で被覆された基板を有し、この基板の表面上に光により書き込み可能な情報層、場合により１つ又は複数の反射層及び場合により保護層又は他の基板又はカバー層が設けられていて、青色光、赤色光又は赤外線、有利にレーザー光により書き込み及び読み出すことができ、前記の情報層は吸光性化合物及び場合により結合剤を含有する光学データ記録媒体において、吸光性化合物として少なくとも１種のカチオン性アミノ複素環式色素を使用することを特徴とする光学データ記録媒体に関する。
【００１３】
この吸光性化合物は有利に熱により可変であるのが好ましい。熱による変化は、＜６００℃の温度、特に有利に＜４００℃の温度、さらに有利に＜３００℃の温度、殊に＜２００℃の温度で行うのが有利である。このような変化は、例えば吸光性化合物の発色中心の分解又は化学変化であることができる。
【００１４】
式Ｉ
【００１５】
【化１】
2004525799.tif 000002
［式中、
Ｘ１はＯ又はＳを表し、
Ｘ２はＣＲ１０又はＮを表し、
Ｒ３は水素、Ｃ１〜Ｃ６−アルキル、ハロゲン、ヒドロキシ、Ｃ６〜Ｃ１０−アリール、ＮＲ８Ｒ９又は−ＣＨ＝Ｙ−Ａを表し、
Ｒ１、Ｒ２、Ｒ８及びＲ９は互いに無関係に水素、Ｃ１〜Ｃ６−アルキル、Ｃ５〜Ｃ７−シクロアルキル、Ｃ６〜Ｃ１０−アリール又はＣ７〜Ｃ１５−アラルキルを表すか、又は
ＮＲ１Ｒ２及びＮＲ８Ｒ９は互いに無関係にピロリジノ、モルホリノ、ピペラジノ又はピペリジノを表し、
Ｒ１０は水素、シアノ、Ｃ１〜Ｃ６−アルキル、ハロゲン又はＣ６〜Ｃ１０−アリールを表し、
Ｙは＝Ｙ１−（Ｙ２＝Ｙ３）ｎ−を表し、
ｎは０又は１を表し、
Ｒ１８は水素、シアノ又はＣ１〜Ｃ３−アルキルを表し、その際、ｎ＝１の場合、それぞれＹ１；Ｙ２、Ｙ１；Ｙ３又はＹ２；Ｙ３の基Ｒ１８は架橋を形成することができ、
Ａは式
【００１６】
【化２】
2004525799.tif 000003
［式中、
Ｘ３はＯ又はＳを表し、
Ｘ４はＣＲ１１又はＮを表し、
Ｒ６は水素、Ｃ１〜Ｃ６−アルキル、ハロゲン、ヒドロキシ、Ｃ６〜Ｃ１０−アリール又はＮＲ１２Ｒ１３を表すか、又は
Ｒ３及びＲ６は−Ｏ−、−ＣＨ２−又は−Ｃ（ＣＨ３）２−架橋か、又は式
【００１７】
【化３】
2004525799.tif 000004
の架橋を形成することができ、但し、アスタリスク（＊）のＣ原子から２個の単結合が出ており、
Ｒ４、Ｒ５、Ｒ１２及びＲ１３は互いに無関係に水素、Ｃ１〜Ｃ６−アルキル、Ｃ５〜Ｃ７−シクロアルキル、Ｃ６〜Ｃ１０−アリール又はＣ７〜Ｃ１５−アラルキルを表すか、又は
ＮＲ４Ｒ５及びＮＲ１２Ｒ１３は互いに無関係にピロリジノ、モルホリノ、ピペラジノ又はピペリジノを表し、
Ｒ１１は水素、シアノ、Ｃ１〜Ｃ６−アルキル、ハロゲン又はＣ６〜Ｃ１０−アリールを表し、
Ｘ５は窒素を表すか、又は
Ｘ５−Ｘ７はＳを表し、
Ｘ６はＯ、Ｓ、Ｎ−Ｒ１９、ＣＲ２０又はＣＲ２０Ｒ２１を表し、
Ｙ０はＮ又はＣ−Ｒ１８を表し、
Ｒ７及びＲ１９は互いに無関係にＣ１〜Ｃ１６−アルキル、Ｃ３〜Ｃ６−アルケニル、Ｃ５〜Ｃ７−シクロアルキル又はＣ７〜Ｃ１６−アラルキルを表し、
Ｒ２０及びＲ２１は互いに無関係にＣ１〜Ｃ４−アルキルを表すか、又は
ＣＲ２０Ｒ２１は式
【００１８】
【化４】
2004525799.tif 000005
の２価の基を表し、但し、アスタリスク（＊）の環原子から２個の結合が出ており、
ＢはＸ５、Ｘ６及びその間に結合されているＣ原子と一緒に、５員又は６員の芳香族複素環もしくは準芳香族複素環もしくは部分水素化複素環を表し、これは１〜４個のヘテロ原子を有してよく、及び／又はベンゼン縮合又はナフタレン縮合されていてよく、及び／又は非イオン性の基により置換されていてよく、
Ｒ１４及びＲ１５は互いに無関係に水素、Ｃ１〜Ｃ１６−アルキル、Ｃ４〜Ｃ７−シクロアルキル、Ｃ７〜Ｃ１６−アラルキル、Ｃ６〜Ｃ１０−アリール又は複素環式基を表すか、又は
ＮＲ１４Ｒ１５はＮを介して結合されている５員又は６員の飽和環を表し、これは付加的にＮ又はＯを有してよく、及び／又は非イオン性の基により置換されていてよく、
Ｒ１６及びＲ１６’は互いに無関係に水素、Ｃ１〜Ｃ１６−アルキル、Ｃ１〜Ｃ１６−アルコキシ又はハロゲンを表すか、又は
Ｒ１６；Ｒ１４及び／又はＲ１６’；Ｒ１５は２員又は３員の架橋を形成し、これはＯ又はＮを有してよく、及び／又は非イオン性の基により置換されていてよく、
Ｒ１７は水素、Ｃ１〜Ｃ１６−アルキル、Ｃ１〜Ｃ１６−アルコキシ、ハロゲン、シアノ、Ｃ１〜Ｃ４−アルコキシカルボニル、Ｏ−ＣＯ−Ｒ２２、ＮＲ２３−ＣＯ−Ｒ２２、Ｏ−ＳＯ２−Ｒ２２又はＮＲ２３−ＳＯ２−Ｒ２２を表し、
Ｒ２２は水素、Ｃ１〜Ｃ１６−アルキル、Ｃ４〜Ｃ７−シクロアルキル、Ｃ７〜Ｃ１６−アラルキル、Ｃ１〜Ｃ１６−アルコキシ、モノ−もしくはビス−Ｃ１〜Ｃ１６−アルキルアミノ、Ｃ６〜Ｃ１０−アリール、Ｃ６〜Ｃ１０−アリールオキシ、Ｃ６〜Ｃ１０−アリールアミノ又は複素環式基を表し、
Ｒ２３は水素又はＣ１〜Ｃ４−アルキルを表す］
の基を表し、
Ａｎ−はアニオンを表す］
のカチオン性アミノ複素環式色素は有利である。
【００１９】
式Ｉ
【００２０】
【化５】
2004525799.tif 000006
［式中、
Ｘ１はＯ、Ｓ又はＳｅを表し、
Ｘ２はＣＲ１０又はＮを表し、
Ｒ３は水素、Ｃ１〜Ｃ６−アルキル、ハロゲン、ヒドロキシ、Ｃ６〜Ｃ１０−アリール、ＮＲ８Ｒ９又は−ＣＨ＝Ｙ−Ａを表し、
Ｒ１、Ｒ２、Ｒ８及びＲ９は互いに無関係に水素、Ｃ１〜Ｃ６−アルキル、Ｃ５〜Ｃ７−シクロアルキル、Ｃ６〜Ｃ１０−アリール又はＣ７〜Ｃ１５−アラルキルを表すか、又は
ＮＲ１Ｒ２及びＮＲ８Ｒ９は互いに無関係にピロリジノ、モルホリノ、ピペラジノ又はピペリジノを表し、
Ｒ１０は水素、シアノ、Ｃ１〜Ｃ６−アルキル、ハロゲン又はＣ６〜Ｃ１０−アリールを表し、
Ｙは＝Ｙ１−（Ｙ２＝Ｙ３）ｎ−を表し、
Ｙ１〜Ｙ３は互いに無関係にＮ又はＣ−Ｒ１８を表し、
ｎは０又は１を表し、
Ｒ１８は水素、シアノ、Ｃ１〜Ｃ３−アルキル又は基Ａを表し、その際、ｎ＝１の場合、それぞれＹ１；Ｙ２、Ｙ１；Ｙ３又はＹ２；Ｙ３の基Ｒ１８は架橋を形成することができ、
Ａは式
【００２１】
【化６】
2004525799.tif 000007
［式中、
Ｘ３はＯ、Ｓ又はＳｅを表し、
Ｘ４はＣＲ１１又はＮを表し、
Ｒ６は水素、Ｃ１〜Ｃ６−アルキル、ハロゲン、ヒドロキシ、Ｃ６〜Ｃ１０−アリール又はＮＲ１２Ｒ１３を表すか、又は
Ｒ３及びＲ６は−Ｏ−、−ＣＨ２−又は−Ｃ（ＣＨ３）２−架橋か、又は式
【００２２】
【化７】
2004525799.tif 000008
の架橋を形成することができ、但し、アスタリスク（＊）のＣ原子から２個の単結合が出ており、
Ｒ４、Ｒ５、Ｒ１２及びＲ１３は互いに無関係に水素、Ｃ１〜Ｃ６−アルキル、Ｃ５〜Ｃ７−シクロアルキル、Ｃ６〜Ｃ１０−アリール又はＣ７〜Ｃ１５−アラルキルを表すか、又は
ＮＲ４Ｒ５及びＮＲ１２Ｒ１３は互いに無関係にピロリジノ、モルホリノ、ピペラジノ又はピペリジノを表し、
Ｒ１１は水素、シアノ、Ｃ１〜Ｃ６−アルキル、ハロゲン又はＣ６〜Ｃ１０−アリールを表し、
Ｘ５は窒素を表すか、又は
Ｘ５−Ｘ７はＳを表し、
Ｘ６はＯ、Ｓ、Ｎ−Ｒ１９、ＣＲ２０又はＣＲ２０Ｒ２１を表し、
Ｙ０はＮ又はＣ−Ｒ１８を表し、
Ｒ７及びＲ１９は互いに無関係にＣ１〜Ｃ１６−アルキル、Ｃ３〜Ｃ６−アルケニル、Ｃ５〜Ｃ７−シクロアルキル又はＣ７〜Ｃ１６−アラルキルを表し、
Ｒ２０及びＲ２１は互いに無関係にＣ１〜Ｃ４−アルキルを表すか、又は
ＣＲ２０Ｒ２１は式
【００２３】
【化８】
2004525799.tif 000009
の２価の基を表し、但し、アスタリスク（＊）の環原子から２個の結合が出ており、
ＢはＸ５、Ｘ６及びその間に結合されているＣ原子と一緒に、５員又は６員の芳香族複素環もしくは準芳香族複素環もしくは部分水素化複素環を表し、これは１〜４個のヘテロ原子を有してよく、及び／又はベンゼン縮合又はナフタレン縮合されていてよく、及び／又は非イオン性の基により置換されていてよく、
Ｒ１４及びＲ１５は互いに無関係に水素、Ｃ１〜Ｃ１６−アルキル、Ｃ４〜Ｃ７−シクロアルキル、Ｃ７〜Ｃ１６−アラルキル、Ｃ６〜Ｃ１０−アリール又は複素環式基を表すか、又は
ＮＲ１４Ｒ１５はＮを介して結合されている５員又は６員の飽和環を表し、これは付加的にＮ又はＯを有してよく、及び／又は非イオン性の基により置換されていてよく、
Ｒ１６及びＲ１６’は互いに無関係に水素、Ｃ１〜Ｃ１６−アルキル、Ｃ１〜Ｃ１６−アルコキシ又はハロゲンを表すか、又は
Ｒ１６；Ｒ１４及び／又はＲ１６’；Ｒ１５は２員又は３員の架橋を形成し、これはＯ又はＮを有してよく、及び／又は非イオン性の基により置換されていてよく、
Ｒ１７は水素、Ｃ１〜Ｃ１６−アルキル、Ｃ１〜Ｃ１６−アルコキシ、ハロゲン、シアノ、Ｃ１〜Ｃ４−アルコキシカルボニル、Ｏ−ＣＯ−Ｒ２２、ＮＲ２３−ＣＯ−Ｒ２２、Ｏ−ＳＯ２−Ｒ２２又はＮＲ２３−ＳＯ２−Ｒ２２を表し、
Ｒ２２は水素、Ｃ１〜Ｃ１６−アルキル、Ｃ４〜Ｃ７−シクロアルキル、Ｃ７〜Ｃ１６−アラルキル、Ｃ１〜Ｃ１６−アルコキシ、モノ−もしくはビス−Ｃ１〜Ｃ１６−アルキルアミノ、Ｃ６〜Ｃ１０−アリール、Ｃ６〜Ｃ１０−アリールオキシ、Ｃ６〜Ｃ１０−アリールアミノ又は複素環式基を表し、
Ｒ２３は水素又はＣ１〜Ｃ４−アルキルを表す］
の基を表し、
Ａｎ−はアニオンを表す］
のカチオン性アミノ複素環式色素は同様に有利である。
【００２４】
非イオン性の基として、例えばＣ１〜Ｃ４−アルキル、Ｃ１〜Ｃ４−アルコキシ、ハロゲン、シアノ、ニトロ、Ｃ１〜Ｃ４−アルコキシカルボニル、Ｃ１〜Ｃ４−アルキルチオ、Ｃ１〜Ｃ４−アルカノイルアミノ、ベンゾイルアミノ、モノ−又はジ−Ｃ１〜Ｃ４−アルキルアミノが挙げられる。
【００２５】
アルキル基、アルコキシ基、アリール基及び複素環式基は、場合により他の基、例えばアルキル、ハロゲン、ニトロ、シアノ、ＣＯ−ＮＨ２、アルコキシ、トリアルキルシリル、トリアルキルシロキシ又はフェニル基を有することができ、アルキル基及びアルコキシ基は直鎖又は分枝鎖であってもよく、アルキル基は部分的に又は完全にハロゲン化されていてもよく、アルキル基及びアルコキシ基はエトキシル化又はプロポキシル化又はシリル化されていてもよく、アリール基又は複素環式基に隣接したアルキル及び／又はアルコキシ基は一緒に３員又は４員の架橋を形成することができ、複素環式基はベンゼン縮合されていてもよくかつ／又は４級化されていてもよい。
【００２６】
有利に、式
【００２７】
【化９】
2004525799.tif 000010
の環Ｂは、
ベンゾチアゾール−２−イリデン、１，３−チアゾール−２−イリデン、イソチアゾール−３−イリデン、ベンズオキサゾール−２−イリデン、１，３−オキサゾール−２−イリデン、イソキサゾール−３−イリデン、ベンズイミダゾール−２−イリデン、イミダゾール−２−イリデン、ピラゾール−５−イリデン、１，３，４−チアジアゾール−２−イリデン、１，３，４−オキサゾール−２−イリデン、１，２，４−チアジアゾール−５−イリデン、１，３，４−トリアゾール−２−イリデン、１，３−ジチオール−２−イリデン、３Ｈ−インドール−２−イリデン、ジヒドロピリジン−２−もしくは４−イリデン、ジヒドロキノリン−２−もしくは４−イリデン、１，３−チアゾリン−２−イリデン、１，３−オキサゾリン−２−イリデン、イミダゾリン−２−イリデン又はピロリン−２−イリデンを表し、その際、上記環はそれぞれＣ１〜Ｃ６−アルキル、Ｃ１〜Ｃ６−アルコキシ、フッ素、塩素、臭素、ヨウ素、シアノ、ニトロ、Ｃ１〜Ｃ６−アルコキシカルボニル、Ｃ１〜Ｃ６−アルキルチオ、Ｃ１〜Ｃ６−アシルアミノ、Ｃ６〜Ｃ１０−アリール、Ｃ６〜Ｃ１０−アリールオキシ、Ｃ６〜Ｃ１０−アリールカルボニルアミノ、モノ−もしくはジ−Ｃ１〜Ｃ６−アルキルアミノ、Ｎ−Ｃ１〜Ｃ６−アルキル−Ｎ−Ｃ６〜Ｃ１０−アリールアミノ、ピロリジノ、モルホリノ又はピペリジノにより置換されていてよい。
【００２８】
同様に、式
【００２９】
【化１０】
2004525799.tif 000011
の環Ｂは、
ベンゾチアゾール−２−イリデン、１，３−チアゾール−２−イリデン、イソチアゾール−３−イリデン、ベンズオキサゾール−２−イリデン、１，３−オキサゾール−２−イリデン、イソキサゾール−３−イリデン、ベンズイミダゾール−２−イリデン、イミダゾール−２−イリデン、ピラゾール−５−イリデン、１，３，４−チアジアゾール−２−イリデン、１，３，４−オキサゾール−２−イリデン、１，２，４−チアジアゾール−５−イリデン、１，３，４−トリアゾール−２−イリデン、３Ｈ−インドール−２−イリデン、ジヒドロピリジン−２−もしくは４−イリデン、ジヒドロキノリン−２−もしくは４−イリデン、１，３−チアゾリン−２−イリデン、１，３−オキサゾリン−２−イリデン、イミダゾリン−２−イリデン又はピロリン−２−イリデンを表し、その際、Ｘ５はＮを表し、かつＲ７により置換されているか、又は環Ｂは１，３−ジチオール−２−イリデンを表し、その際、Ｘ５−Ｒ７はＳを表し、
その際、上記環はそれぞれＣ１〜Ｃ６−アルキル、Ｃ１〜Ｃ６−アルコキシ、フッ素、塩素、臭素、ヨウ素、シアノ、ニトロ、Ｃ１〜Ｃ６−アルコキシカルボニル、Ｃ１〜Ｃ６−アルキルチオ、Ｃ１〜Ｃ６−アシルアミノ、Ｃ６〜Ｃ１０−アリール、Ｃ６〜Ｃ１０−アリールオキシ、Ｃ６〜Ｃ１０−アリールカルボニルアミノ、モノ−もしくはジ−Ｃ１〜Ｃ６−アルキルアミノ、Ｎ−Ｃ１〜Ｃ６−アルキル−Ｎ−Ｃ６〜Ｃ１０−アリールアミノ、ピロリジノ、モルホリノ又はピペリジノにより置換されていてよい。
【００３０】
殊に好ましい形において、使用されるカチオン性アミノ複素環式色素は、式（ＶＩ）
【００３１】
【化１１】
2004525799.tif 000012
［式中、
Ｘ１及びＸ３は互いに無関係にＯ又はＳを表し、
Ｘ２はＣＲ１０又はＮを表し、
Ｘ４はＣＲ１１又はＮを表し、
Ｒ３は水素、メチル、エチル、プロピル、ブチル、塩素、フェニル、トリル、メトキシフェニル、キシリル又はＮＲ８Ｒ９を表し、
Ｒ６は水素、メチル、エチル、プロピル、ブチル、塩素、フェニル、トリル、メトキシフェニル、キシリル又はＮＲ１２Ｒ１３を表すか、又は
ｎ＝０の場合、Ｒ３及びＲ６は一緒に−Ｏ−、−ＣＨ２−又は−Ｃ（ＣＨ３）２−架橋を形成し、
Ｒ１、Ｒ２、Ｒ４、Ｒ５、Ｒ８、Ｒ９、Ｒ１２及びＲ１３は互いに無関係に水素、メチル、エチル、プロピル、ブチル、シアンエチル、ヒドロキシエチル、ヒドロキシプロピル、シクロペンチル、シクロへキシル、フェニル、トリル、メトキシフェニル、キシリル、ベンジル、フェネチル又はフェニルプロピルを表すか、又は
ＮＲ１Ｒ２、ＮＲ４Ｒ５、ＮＲ８Ｒ９及びＮＲ１２Ｒ１３は互いに無関係にピロリジノ、モルホリノ、ピペラジノ、Ｎ−メチル−ピペラジノ又はピペリジノを表し、
Ｒ１０及びＲ１１は互いに無関係に水素、シアノ、メチル、エチル、プロピル、ブチル、フェニル、トリル、メトキシフェニル又はキシリルを表し、
Ｙは＝Ｙ１−（Ｙ２＝Ｙ３）ｎ−又はＮを表し、
Ｙ１〜Ｙ３はＣＨを表し、
ｎは０又は１を表し、
Ａｎ−はアニオンを表す］
の色素である。
【００３２】
同様に殊に好ましい形において、使用されるカチオン性アミノ複素環式色素は、式（ＶＩ）
【００３３】
【化１２】
2004525799.tif 000013
［式中、
Ｘ１及びＸ３＊は互いに無関係にＯ、Ｓ又はＳｅを表し、
Ｘ２はＣＲ１０又はＮを表し、
Ｘ４及びＸ４＊は互いに無関係にＣＲ１１又はＮを表し、
Ｒ３は水素、メチル、エチル、プロピル、ブチル、塩素、フェニル、トリル、メトキシフェニル、キシリル又はＮＲ８Ｒ９を表し、
Ｒ６及びＲ６＊は互いに無関係に水素、メチル、エチル、プロピル、ブチル、塩素、フェニル、トリル、メトキシフェニル、キシリル又はＮＲ１２Ｒ１３を表すか、又は
ｎ＝０の場合、Ｒ３及びＲ６は一緒に−Ｏ−、−ＣＨ２−又は−Ｃ（ＣＨ３）２−架橋を形成し、
Ｒ１、Ｒ２、Ｒ４、Ｒ４＊、Ｒ５、Ｒ５＊、Ｒ８、Ｒ９、Ｒ１２、Ｒ１３、Ｒ１４＊及びＲ１５＊は互いに無関係に水素、メチル、エチル、プロピル、ブチル、シアンエチル、ヒドロキシエチル、ヒドロキシプロピル、シクロペンチル、シクロへキシル、フェニル、トリル、メトキシフェニル、キシリル、ベンジル、フェネチル又はフェニルプロピルを表すか、又は
ＮＲ１Ｒ２、ＮＲ４Ｒ５、ＮＲ４＊Ｒ５＊、ＮＲ８Ｒ９、ＮＲ１２Ｒ１３及びＮＲ１４＊Ｒ１５＊は互いに無関係にピロリジノ、モルホリノ、ピペラジノ、Ｎ−メチル−ピペラジノ又はピペリジノを表し、
Ｒ１０及びＲ１１は互いに無関係に水素、シアノ、メチル、エチル、プロピル、ブチル、フェニル、トリル、メトキシフェニル又はキシリルを表し、
Ｙは＝Ｙ１−（Ｙ２＝Ｙ３）ｎ−又はＮを表し、
ｎ＝０の場合、Ｙ１〜Ｙ３はＣＨを表し、かつＹ１は付加的にＣ−Ｒ１８を表し、
Ｒ１８は式
【００３４】
【化１３】
2004525799.tif 000014
の基を表し、
Ｒ１６＊及びＲ１６’＊は互いに無関係に水素、メチル、メトキシ又は塩素を表すか、又は
Ｒ１６＊；Ｒ１４＊及び／又はＲ１６’＊／Ｒ１５＊は−（ＣＨ２）２−又は−Ｃ（ＣＨ２）３−架橋を形成することができ、
ｎは０又は１を表し、
Ａｎ−はアニオンを表す］
の色素である。
【００３５】
それぞれ対になって同じである、Ｘ１；Ｘ３、Ｘ２；Ｘ４、Ｒ１；Ｒ４、Ｒ２；Ｒ５及びＲ３；Ｒ６は極めて殊に有利である。
【００３６】
式（ＶＩ）
［式中、
Ｘ１及びＸ３は同じであり、Ｏ又はＳを表し、
Ｘ２及びＸ４は同じであり、ＣＨ又はＮを表し、
Ｒ３及びＲ６は同じであり、水素、メチル、２−プロピル、ｔ−ブチル、塩素、フェニル又はＮＲ８Ｒ９を表し、
Ｒ１、Ｒ２、Ｒ４、Ｒ５、Ｒ８及びＲ９は水素、メチル、エチル、プロピル、ブチル、シアンエチル、ヒドロキシエチル、ヒドロキシプロピル、フェニル又はベンジルを表し、その際、Ｒ１；Ｒ４；Ｒ８及びＲ２；Ｒ５；Ｒ９の群の基はそれぞれ同じであるか、又は
ＮＲ１Ｒ２、ＮＲ４Ｒ５及びＮＲ８Ｒ９は同じであり、ピロリジノ、モルホリノ又はピペリジノを表し、
ＹはＣＨ又は＝ＣＨ−ＣＨ＝ＣＨ−を表し、
Ａｎ−はアニオンを表す］
の色素は同様に極めて殊に有利である。
【００３７】
同様に殊に好ましい形において、使用されるカチオン性アミノ複素環式色素は、式（ＶＩＩ）
【００３８】
【化１４】
2004525799.tif 000015
［式中、
Ｘ１はＯ又はＳを表し、
Ｘ２はＣＲ１０又はＮを表し、
Ｒ３は水素、メチル、エチル、プロピル、ブチル、塩素、フェニル、トリル、メトキシフェニル、キシリル又はＮＲ８Ｒ９を表し、
Ｒ１、Ｒ２、Ｒ８及びＲ９は互いに無関係に水素、メチル、エチル、プロピル、ブチル、シアンエチル、ヒドロキシエチル、ヒドロキシプロピル、シクロペンチル、シクロヘキシル、フェニル、トリル、メトキシフェニル、キシリル、ベンジル、フェネチル又はフェニルプロピルを表すか、又は
ＮＲ１Ｒ２及びＮＲ８Ｒ９は互いに無関係にピロリジノ、モルホリノ、ピペラジノ、Ｎ−メチル−ピペラジノ又はピペリジノを表し、
Ｒ１０は水素、シアノ、メチル、エチル、プロピル、ブチル、フェニル、トリル、メトキシフェニル又はキシリルを表し、
環Ｂは、Ｘ５がＮを表す場合、Ｘ５及びＸ６と一緒に、ベンゾチアゾール−２−イリデン、１，３−チアゾール−２−イリデン、ベンズオキサゾール−２−イリデン、ベンズイミダゾール−２−イリデン、３Ｈ−インドール−２−イリデン、ジヒドロピリジン−２−もしくは４−イリデン、ジヒドロキノリン−２−もしくは４−イリデン、１，３−チアゾリン−２−イリデン、１，３−オキサゾリン−２−イリデン、イミダゾリン−２−イリデン又はピロリン−２−イリデンを表すか、又はＸ５−Ｘ７がＳを表す場合、１，３−ジチオール−２−イリデンを表し、その際、上記環はそれぞれメチル、エチル、トリフルオロメチル、メトキシ、エトキシ、フッ素、塩素、臭素、シアノ、ニトロ、メトキシカルボニル、エトキシカルボニル、メチルチオ、ホルミルアミノ、アセチルアミノ、プロピオニルアミノ、フェニル、トリル、メトキシフェニル、フェノキシ、ベンゾイルアミノ、ジメチルアミノ、ジエチルアミノ、ジプロピルアミノ、Ｎ−メチル−Ｎ−フェニルアミノ、ピロリジノ、モルホリノ又はピペリジノの一連の３個までの基により置換されていてよく、
Ｒ７はメチル、エチル、プロピル、ブチル、シアンエチル、ヒドロキシエチル、ヒドロキシプロピル、アリル、シクロペンチル、シクロヘキシル、ベンジル、フェネチル又はフェニルプロピルを表し、
Ｙは＝Ｙ１−（Ｙ２＝Ｙ３）ｎ−又はＮを表し、
Ｙ１〜Ｙ３はＣＨを表し、
ｎは０又は１を表し、
Ｙ０はＣＨ又はＮを表し、
Ａｎ−はアニオンを表す］
の色素である。
【００３９】
同様に殊に好ましい形において、使用されるカチオン性アミノ複素環式色素は、式（ＶＩＩ）
【００４０】
【化１５】
2004525799.tif 000016
［式中、
Ｘ１及びＸ３＊はＯ、Ｓ又はＳｅを表し、
Ｘ２はＣＲ１０又はＮを表し、
Ｘ４＊はＣＲ１１又はＮを表し、
Ｒ３は水素、メチル、エチル、プロピル、ブチル、塩素、フェニル、トリル、メトキシフェニル、キシリル又はＮＲ８Ｒ９を表し、
Ｒ６＊は水素、メチル、エチル、プロピル、ブチル、塩素、フェニル、トリル、メトキシフェニル、キシリル又はＮＲ１２Ｒ１３を表し、
Ｒ１、Ｒ２、Ｒ４＊、Ｒ５＊、Ｒ８、Ｒ９、Ｒ１４＊及びＲ１５＊は互いに無関係に水素、メチル、エチル、プロピル、ブチル、シアンエチル、ヒドロキシエチル、ヒドロキシプロピル、シクロペンチル、シクロヘキシル、フェニル、トリル、メトキシフェニル、キシリル、ベンジル、フェネチル又はフェニルプロピルを表すか、又は
ＮＲ１Ｒ２、ＮＲ４＊Ｒ５＊、ＮＲ８Ｒ９及びＮＲ１４＊Ｒ１５＊は互いに無関係にピロリジノ、モルホリノ、ピペラジノ、Ｎ−メチル−ピペラジノ又はピペリジノを表し、
Ｒ１０及びＲ１１は互いに無関係に水素、シアノ、メチル、エチル、プロピル、ブチル、フェニル、トリル、メトキシフェニル又はキシリルを表し、
環Ｂは、Ｘ５がＮを表す場合、Ｘ５、Ｘ６及びＸ７と一緒に、ベンゾチアゾール−２−イリデン、１，３−チアゾール−２−イリデン、ベンズオキサゾール−２−イリデン、ベンズイミダゾール−２−イリデン、３Ｈ−インドール−２−イリデン、ジヒドロピリジン−２−もしくは４−イリデン、ジヒドロキノリン−２−もしくは４−イリデン、１，３−チアゾリン−２−イリデン、１，３−オキサゾリン−２−イリデン、イミダゾリン−２−イリデン又はピロリン−２−イリデンを表し、その際、上記複素環式基はそれぞれＸ５＝ＮにおいてＲ７により置換されているか、又はＸ５−Ｘ７がＳを表す場合、１，３−ジチオール−２−イリデンを表し、その際、上記環はそれぞれメチル、エチル、トリフルオロメチル、メトキシ、エトキシ、フッ素、塩素、臭素、シアノ、ニトロ、メトキシカルボニル、エトキシカルボニル、メチルチオ、ホルミルアミノ、アセチルアミノ、プロピオニルアミノ、フェニル、トリル、メトキシフェニル、フェノキシ、ベンゾイルアミノ、ジメチルアミノ、ジエチルアミノ、ジプロピルアミノ、Ｎ−メチル−Ｎ−フェニルアミノ、ピロリジノ、モルホリノ又はピペリジノの一連の３個までの基により置換されていてよく、
Ｒ７はメチル、エチル、プロピル、ブチル、シアンエチル、ヒドロキシエチル、ヒドロキシプロピル、アリル、シクロペンチル、シクロヘキシル、ベンジル、フェネチル又はフェニルプロピルを表し、
Ｙは＝Ｙ１−（Ｙ２＝Ｙ３）ｎ−又はＮを表し、
ｎ＝０の場合、Ｙ１〜Ｙ３はＣＨを表し、かつＹ１は付加的にＣ−Ｒ１８を表し、
Ｒ１８は式
【００４１】
【化１６】
2004525799.tif 000017
の基を表し、
Ｒ１６＊及びＲ１６’＊は互いに無関係に水素、メチル、メトキシ又は塩素を表すか、又は
Ｒ１６＊；Ｒ１４＊及び／又はＲ１６’＊／Ｒ１５＊は−（ＣＨ２）２−又は−Ｃ（ＣＨ２）３−架橋を形成することができ、
ｎは０又は１を表し、
Ｙ０はＣＨ又はＮを表し、
Ａｎ−はアニオンを表す］
の色素である。
【００４２】
式（ＶＩＩ）
［式中、
Ｘ１はＯ又はＳを表し、
Ｘ２はＣＨ又はＮを表し、
Ｒ３は水素、メチル、２−プロピル、ｔ−ブチル、塩素、フェニル又はＮＲ８Ｒ９を表し、
Ｒ１、Ｒ２、Ｒ８及びＲ９は水素、メチル、エチル、プロピル、ブチル、シアンエチル、ヒドロキシエチル、ヒドロキシプロピル、フェニル又はベンジルを表し、その際、基Ｒ１；Ｒ８及びＲ２；Ｒ９はそれぞれ対になって同じであるか、又は
ＮＲ１Ｒ２及びＮＲ８Ｒ９は同じであり、ピロリジノ、モルホリノ又はピペリジノを表し、
環Ｂは、Ｘ５がＮを表す場合、Ｘ５及びＸ６と一緒に、ベンゾチアゾール−２−イリデン、ベンズオキサゾール−２−イリデン、ベンズイミダゾール−２−イリデン、３Ｈ−インドール−２−イリデン、ジヒドロピリジン−２−もしくは４−イリデン、ジヒドロキノリン−２−もしくは４−イリデン、１，３−チアゾリン−２−イリデン又はピロリン−２−イリデンを表すか、又はＸ５−Ｘ７がＳを表す場合、１，３−ジチオール−２−イリデンを表し、その際、上記環はそれぞれメチル、エチル、トリフルオロメチル、メトキシ、エトキシ、フッ素、塩素、臭素、シアノ、ニトロ、メトキシカルボニル、エトキシカルボニル、アセチルアミノ、プロピオニルアミノ、フェニル、フェノキシ又はベンゾイルアミノの一連の２個までの基により置換されていてよく、
Ｒ７はメチル、エチル、プロピル、ブチル、シアンエチル、ヒドロキシエチル、ヒドロキシプロピル又はベンジルを表し、
Ｙ及びＹ０はＣＨを表し、
Ａｎ−はアニオンを表す］
の色素は極めて有利である。
【００４３】
同様に殊に好ましい形において、使用されるカチオン性アミノ複素環式色素は、式（ＶＩＩＩ）
【００４４】
【化１７】
2004525799.tif 000018
［式中、
Ｘ１はＯ又はＳを表し、
Ｘ２はＣＲ１０又はＮを表し、
Ｒ３は水素、メチル、エチル、プロピル、ブチル、塩素、フェニル、トリル、メトキシフェニル、キシリル又はＮＲ８Ｒ９を表し、
Ｒ１、Ｒ２、Ｒ８及びＲ９は互いに無関係に水素、メチル、エチル、プロピル、ブチル、シアンエチル、ヒドロキシエチル、ヒドロキシプロピル、シクロペンチル、シクロヘキシル、フェニル、トリル、メトキシフェニル、キシリル、ベンジル、フェネチル又はフェニルプロピルを表すか、又は
ＮＲ１Ｒ２及びＮＲ８Ｒ９は互いに無関係にピロリジノ、モルホリノ、ピペラジノ、Ｎ−メチル−ピペラジノ又はピペリジノを表し、
Ｒ１０は水素、シアノ、メチル、エチル、プロピル、ブチル、フェニル、トリル、メトキシフェニル又はキシリルを表し、
Ｒ１４及びＲ１５は互いに無関係に水素、メチル、エチル、プロピル、ブチル、シアンエチル、ヒドロキシエチル、ヒドロキシプロピル、シクロペンチル、シクロヘキシル、フェニル、トリル、メトキシフェニル、キシリル、ベンジル、フェネチル、フェニルプロピル、ピリジル又は式
【００４５】
【化１８】
2004525799.tif 000019
の基を表すか、又は
ＮＲ１４Ｒ１５はピロリジノ、モルホリノ、ピペラジノ、Ｎ−メチル−ピペラジノ又はピペリジノを表し、
Ｒ１６及びＲ１６’は互いに無関係に水素、メチル、エチル、メトキシ、エトキシ又は塩素を表すか、又は
Ｒ１６；Ｒ１５及び／又はＲ１６’；Ｒ１４は−（ＣＨ２）２−又は−Ｃ（ＣＨ２）３−架橋を形成し、これは３個までのメチル基により置換されていてよく、
Ｒ１７は水素、メチル、エチル、メトキシ、エトキシ、塩素、シアノ、メトキシカルボニル、エトキシカルボニル、Ｏ−ＣＯ−Ｒ２２、ＮＲ２３−ＣＯ−Ｒ２２、Ｏ−ＳＯ２−Ｒ２２又はＮＲ２３−ＳＯ２−Ｒ２２を表し、
Ｒ２２はメチル、エチル、トリフルオロメチル、シクロペンチル、シクロヘキシル、ベンジル、メトキシ、エトキシ、ジメチルアミノ、ジエチルアミノ、メチルアミノ、フェニル、フェノキシ、アニリノ又はピリジルを表し、
Ｒ２３は水素又はメチルを表し、
Ｙは＝Ｙ１−（Ｙ２＝Ｙ３）ｎ−又はＮを表し、
Ｙ１〜Ｙ３はＣＨを表し、
ｎは０又は１を表し、
Ａｎ−はアニオンを表す］
の色素である。
【００４６】
同様に殊に好ましい形において、使用されるカチオン性アミノ複素環式色素は、式（ＶＩＩＩ）
【００４７】
【化１９】
2004525799.tif 000020
Ｘ１はＯ、Ｓ又はＳｅを表し、
Ｘ２はＣＲ１０又はＮを表し、
Ｒ３は水素、メチル、エチル、プロピル、ブチル、塩素、フェニル、トリル、メトキシフェニル、キシリル又はＮＲ８Ｒ９を表し、
Ｒ１、Ｒ２、Ｒ８、Ｒ９、Ｒ１４＊及びＲ１５＊は互いに無関係に水素、メチル、エチル、プロピル、ブチル、シアンエチル、ヒドロキシエチル、ヒドロキシプロピル、シクロペンチル、シクロへキシル、フェニル、トリル、メトキシフェニル、キシリル、ベンジル、フェネチル又はフェニルプロピルを表すか、又は
ＮＲ１Ｒ２、ＮＲ８Ｒ９及びＮＲ１４＊Ｒ１５＊は互いに無関係にピロリジノ、モルホリノ、ピペラジノ、Ｎ−メチル−ピペラジノ又はピペリジノを表し、
Ｒ１０は水素、シアノ、メチル、エチル、プロピル、ブチル、フェニル、トリル、メトキシフェニル又はキシリルを表し、
Ｒ１４及びＲ１５は互いに無関係に水素、メチル、エチル、プロピル、ブチル、シアンエチル、ヒドロキシエチル、ヒドロキシプロピル、シクロペンチル、シクロへキシル、フェニル、トリル、メトキシフェニル、キシリル、ベンジル、フェネチル又はフェニルプロピル、ピリジル又は式
【００４８】
【化２０】
2004525799.tif 000021
の基を表すか、又は
ＮＲ１４Ｒ１５はピロリジノ、モルホリノ、ピペラジノ、Ｎ−メチル−ピペラジノ又はピペリジノを表し、
Ｒ１６及びＲ１６’は互いに無関係に水素、メチル、エチル、メトキシ、エトキシ又は塩素を表すか、又は
Ｒ１６；Ｒ１５及び／又はＲ１６’；Ｒ１４は−（ＣＨ２）２−又は−（ＣＨ２）３−架橋を形成し、これは３個までのメチル基により置換されていてよく、
Ｒ１７は水素、メチル、エチル、メトキシ、エトキシ、塩素、シアノ、メトキシカルボニル、エトキシカルボニル、Ｏ−ＣＯ−Ｒ２２、ＮＲ２３−ＣＯ−Ｒ２２、Ｏ−ＳＯ２−Ｒ２２又はＮＲ２３−ＳＯ２−Ｒ２２を表し、
Ｒ２２はメチル、エチル、トリフルオロメチル、シクロペンチル、シクロヘキシル、ベンジル、メトキシ、エトキシ、ジメチルアミノ、ジエチルアミノ、メチルアミノ、フェニル、フェノキシ、アニリノ又はピリジルを表し、
Ｒ２３は水素又はメチルを表し、
Ｙは＝Ｙ１−（Ｙ２＝Ｙ３）ｎ−又はＮを表し、
ｎ＝０の場合、Ｙ１〜Ｙ３はＣＨを表し、かつＹ１は付加的にＣ−Ｒ１８を表すことができ、
Ｒ１８は式
【００４９】
【化２１】
2004525799.tif 000022
の基を表し、
Ｒ１６＊及びＲ１６’＊は互いに無関係に水素、メチル、メトキシ又は塩素を表すか、又は
Ｒ１６＊；Ｒ１４＊及び／又はＲ１６’＊；Ｒ１５＊は−（ＣＨ２）２−又は−（ＣＨ２）３−架橋を形成することができ、
ｎは０又は１を表し、
Ａｎ−はアニオンを表す］
の色素である。
【００５０】
式（ＶＩＩＩ）
［式中、
Ｘ１はＯ又はＳを表し、
Ｘ２はＣＨ又はＮを表し、
Ｒ３は水素、メチル、２−プロピル、ｔ−ブチル、塩素、フェニル又はＮＲ８Ｒ９を表し、
Ｒ１、Ｒ２、Ｒ８及びＲ９は水素、メチル、エチル、プロピル、ブチル、シアンエチル、ヒドロキシエチル、ヒドロキシプロピル、フェニル又はベンジルを表し、その際、基Ｒ１；Ｒ８及びＲ２；Ｒ９はそれぞれ対になって同じであるか、又は
ＮＲ１Ｒ２及びＮＲ８Ｒ９は同じであり、ピロリジノ、モルホリノ又はピペリジノを表し、
Ｒ１４及びＲ１５は互いに無関係に水素、メチル、エチル、プロピル、ブチル、シアンエチル、ヒドロキシエチル、ヒドロキシプロピル、フェニル又はベンジルを表すか、又は
ＮＲ１４Ｒ１５はピロリジノ、モルホリノ又はピペリジノを表し、
Ｒ１６は水素、メチル又はメトキシを表すか、又は
Ｒ１６；Ｒ１５は−（ＣＨ２）２−、−（ＣＨ２）３−又は−Ｃ（ＣＨ３）２−（ＣＨ２）２−架橋を形成し、
Ｒ１６’は水素を表し、
Ｒ１７は水素、メチル、エチル、メトキシ、エトキシ、塩素、シアノ、メトキシカルボニル、エトキシカルボニル、アセトキシ、アセトアミノ、ベンゾイルアミノ、メタンスルホニルアミノ又はトリフルオロメタンスルホニルアミノを表し、
ＹはＣＨ又はＮを表し、
Ａｎ−はアニオンを表す］
の色素は極めて殊に有利である。
【００５１】
アニオンＡｎ−として、全ての一価のアニオン又は多価もしくはポリマーのアニオンの等価物が挙げられる。無色のアニオンが有利である。適当なアニオンは、例えばクロリド、ブロミド、ヨージド、テトラフルオロボレート、ペルクロレート、ヘキサフルオロシリケート、ヘキサフルオロホスフェート、メトスルフェート、エトスルフェート、Ｃ１〜Ｃ１０−アルカンスルホネート、Ｃ１〜Ｃ１０−ペルフルオロアルカンスルホネート、場合により塩素、ヒドロキシ、Ｃ１〜Ｃ４−アルコキシにより置換されたＣ１〜Ｃ１０−アルカノエート、場合によりニトロ、シアノ、ヒドロキシ、Ｃ１〜Ｃ２５−アルキル、ペルフルオロ−Ｃ１〜Ｃ４−アルキル、Ｃ１〜Ｃ４−アルコキシカルボニル又は塩素で置換されたベンゼン−又はナフタレン−又はビフェニルスルホネート、場合によりニトロ、シアノ、ヒドロキシ、Ｃ１〜Ｃ４−アルキル、Ｃ１〜Ｃ４−アルコキシ、Ｃ１〜Ｃ４−アルコキシカルボニル又は塩素で置換されたベンゼン−又はナフタレン−又はビフェニルジスルホネート、場合によりニトロ、シアノ、Ｃ１〜Ｃ４−アルキル、Ｃ１〜Ｃ４−アルコキシ、Ｃ１〜Ｃ４−アルコキシカルボニル、ベンゾイル、クロロベンゾイル又はトルオイルで置換されたベンゾエート、ナフタレンジカルボン酸のアニオン、ジフェニルエーテルジスルホネート、テトラフェニルボレート、シアノトリフェニルボレート、テトラ−Ｃ１〜Ｃ２０−アルコキシボレート、テトラフェノキシボレート、７，８−もしくは７，９−ジカルバ−ニド−ウンデカボレート（１−）もしくは（２−）、これは場合によりＢ−及び／又はＣ−原子が１個又は２個のＣ１〜Ｃ１２−アルキル基又はフェニル基で置換されている、ドデカヒドロ−ジカルバドデカボレート（２−）、Ｂ−Ｃ１〜Ｃ１２−アルキル−Ｃ−フェニル−ドデカヒドロ−ジカルバドデカボレート（１−）、ポリスチレンスルホネート、ポリアクリレート、ポリメタクリレート、ポリメタリルスルホネート又はポリアスパラギネートである。
【００５２】
他の適当なアニオンは、色素のアニオン、有利に、そのλｍａｘと式（Ｉ）の色素のλｍａｘ２又はλｍａｘ３とは３０ｎｍ、有利に２０ｎｍ、極めて殊に有利に１０ｎｍより広く離れていない色素のアニオンである。このようなアニオン性の色素の例は、オキソノール、アゾ色素、アントラキノン色素又は金属錯体色素、例えばホルマザン又はアゾ金属錯体色素である。
【００５３】
ブロミド、ヨージド、テトラフルオロボレート、ペルクロレート、ヘキサフルオロホスフェート、メタンスルホネート、トリフルオロメタンスルホネート、ベンゼンスルホネート、トルエンスルホネート、ドデシルベンゼンスルホネート、テトラデカンスルホネートが有利である。
【００５４】
例えば、情報層の物理的性質を最適化するために、本発明によるカチオン性アミノ複素環式色素の混合物が使用されてもよい。
【００５５】
同様に、別の色素、有利にカチオン性色素との混合物が使用されてもよい。有利に、混合色素として、そのλｍａｘと式（Ｉ）の色素のλｍａｘ２又はλｍａｘ３とは３０ｎｍ、有利に２０ｎｍ、極めて殊に有利に１０ｎｍより広く離れていない色素が使用される。ここでは、例えばシアニン、ストレプトシアニン、ヘミシアニン、ジアザヘミシアニン、ヌルメチン、エナミン色素、ヒドラゾン色素、ジ−もしくはトリ（ヘト）アリールメタン色素、キサンテン色素、アジン色素（フェナジン、オキサジン、チアジン）のクラスからの色素か、又は例えばアゾ色素、アントラキノン色素、ニュートロシアニン、ポルフィリン又はフタロシアニンのクラスからの色素が挙げられる。上記色素は例えばH. Berneth, Cationic Dyes in Ullmann's Encyclopedia of Industrial Chemistry, VCH, 第6版から公知である。
【００５６】
青色レーザ光を用いて書き込み及び読み出しする本発明によるライトワンス型光学データ記録媒体のために、吸収極大λｍａｘ２が４２０〜５５０ｎｍの範囲内にあり、その際、波長λ１／２（この場合、波長λｍａｘ２の吸収極大の短波長側での吸光度がλｍａｘ２での吸光値の半分である）と波長λ１／１０（この場合、波長λｍａｘ２の吸収極大の短波長側での吸光度がλｍａｘ２での吸光値の１０分の１である）とは有利に５０ｎｍより広く離れていないようなカチオン性アミノ複素環式色素が有利である。このようなカチオン性アミノ複素環式色素は有利に波長３５０ｎｍまで、特に有利に３２０ｎｍまで、さらに有利に２９０ｎｍまで、より短波長の極大λｍａｘ１を示さない。
【００５７】
４１０〜５３０ｎｍの吸収極大λｍａｘ２を示すカチオン性アミノ複素環式色素が有利である。
【００５８】
４２０〜５１０ｎｍの吸収極大λｍａｘ２を示すカチオン性アミノ複素環式色素が特に有利である。
【００５９】
４３０〜５００ｎｍの吸収極大λｍａｘ２を示すカチオン性アミノ複素環式色素が殊に有利である。
【００６０】
有利にこのカチオン性アミノ複素環式色素において、λ１／２とλ１／１０とは上記に定義されている通り４０ｎｍより広く離れておらず、特に有利に３０ｎｍより広く離れておらず、さらに有利に２０ｎｍより広く離れていない。
【００６１】
赤色レーザ光を用いて書き込み及び読み出しする本発明によるライトワンス型光学データ記録媒体のために、吸収極大λｍａｘ２が５００〜６５０ｎｍの範囲内にあり、その際、波長λ１／２（この場合、波長λｍａｘ２の吸収極大の長波長側での吸光度がλｍａｘ２での吸光値の半分である）と波長λ１／１０（この場合、波長λｍａｘ２の吸収極大の長波長側での吸光度がλｍａｘ２での吸光値の１０分の１である）とは有利に５０ｎｍより広く離れていないようなカチオン性アミノ複素環式色素が有利である。このようなカチオン性アミノ複素環式色素は有利に波長７５０ｎｍまで、特に有利に８００ｎｍまで、さらに有利に８５０ｎｍまで、より長波長の極大λｍａｘ３を示さない。
【００６２】
５３０〜６３０ｎｍの吸収極大λｍａｘ２を示すカチオン性アミノ複素環式色素が有利である。
【００６３】
５５０〜６２０ｎｍの吸収極大λｍａｘ２を示すカチオン性アミノ複素環式色素が特に有利である。
【００６４】
５８０〜６１０ｎｍの吸収極大λｍａｘ２を示すカチオン性アミノ複素環式色素が殊に有利である。
【００６５】
有利にこのカチオン性アミノ複素環式色素において、λ１／２とλ１／１０とは上記に定義されている通り４０ｎｍより広く離れておらず、特に有利に３０ｎｍより広く離れておらず、さらに有利に２０ｎｍより広く離れていない。
【００６６】
赤外線レーザ光を用いて書き込み及び読み出しする本発明によるライトワンス型光学データ記録媒体のために、吸収極大λｍａｘ３が６５０〜８１０ｎｍの範囲内にあり、その際、波長λ１／２（この場合、波長λｍａｘ３の吸収極大の長波長側での吸光度がλｍａｘ３での吸光値の半分である）と波長λ１／１０（この場合、波長λｍａｘ３の吸収極大の長波長側での吸光度がλｍａｘ３での吸光値の１０分の１である）とは有利に５０ｎｍより広く離れていないようなカチオン性アミノ複素環式色素が有利である。
【００６７】
６６０〜７９０ｎｍの吸収極大λｍａｘ３を示すカチオン性アミノ複素環式色素が有利である。
【００６８】
６７０〜７６０ｎｍの吸収極大λｍａｘ３を示すカチオン性アミノ複素環式色素が特に有利である。
【００６９】
６８０〜７４０ｎｍの吸収極大λｍａｘ３を示すカチオン性アミノ複素環式色素が殊に有利である。
【００７０】
有利にこのカチオン性アミノ複素環式色素において、λ１／２とλ１／１０とは上記に定義されている通り４０ｎｍより広く離れておらず、特に有利に３０ｎｍより広く離れておらず、さらに有利に２０ｎｍより広く離れていない。
【００７１】
このカチオン性アミノ複素環式色素は吸収極大λｍａｘ２でモル吸光計数ε＞４００００ｌ／ｍｏｌ  ｃｍ、有利に＞６００００ｌ／ｍｏｌ  ｃｍ、特に有利に＞８００００ｌ／ｍｏｌ  ｃｍ、殊に有利に＞１０００００ｌ／ｍｏｌ  ｃｍを示す。
【００７２】
この吸収スペクトルは例えば溶液中で測定される。
【００７３】
必要とされるスペクトル特性を示す適当なカチオン性アミノ複素環式色素は、特に双極子モーメント変化Δμ＝｜μｇ−μａｇ｜、つまり基底状態と最初の励起状態との間の双極子モーメントの正の差ができる限り少ない、有利に＜５Ｄ、特に有利に＜２Ｄであるようなものである。このような双極子モーメント変化Δμを測定する方法は、例えばF. Wuerthnerら著, Angew. Chem. 1997, 109, 2933及びこの文献に引用された文献に記載されている。わずかなソルバトクロミズム（メタノール／塩化メチレン）も同様に有利な選択基準である。ソルバトクロミズムΔλ＝｜λ塩化メチレン−λメタノール｜、つまり溶剤の塩化メチレン及びメタノール中での吸収波長の正の差が＜２５ｎｍ、特に有利に＜１５ｎｍ、さらに特に有利に＜５ｎｍであるようなカチオン性アミノ複素環式色素が有利である。
【００７４】
式（Ｉ）のカチオン性アミノ複素環式色素は、例えばSynthesis, 1973, 621; Angew. Chem. 2001, 113,. 597; 論文 R. Flaig, Universitaet Halle, 1996, Angew. Chem. 2001, 113, 3097から、部分的に公知である。
【００７５】
本発明のもう１つの対象は、式（ＶＩ）
【００７６】
【化２２】
2004525799.tif 000023
［式中、
Ｘ１及びＸ３は互いに無関係にＯ又はＳを表し、
Ｘ２はＣＲ１０又はＮを表し、
Ｘ４はＣＲ１１又はＮを表し、
Ｒ３は水素、メチル、エチル、プロピル、ブチル、塩素、フェニル、トリル、メトキシフェニル、キシリル又はＮＲ８Ｒ９を表し、
Ｒ６は水素、メチル、エチル、プロピル、ブチル、塩素、フェニル、トリル、メトキシフェニル、キシリル又はＮＲ１２Ｒ１３を表すか、又は
ｎ＝０の場合、Ｒ３及びＲ６は一緒に−Ｏ−、−ＣＨ２−又は−Ｃ（ＣＨ３）２−架橋を形成し、
Ｒ１、Ｒ２、Ｒ４、Ｒ５、Ｒ８、Ｒ９、Ｒ１２及びＲ１３は互いに無関係に水素、プロピル、ブチル、シアンエチル、ヒドロキシエチル、ヒドロキシプロピル、シクロペンチル、シクロへキシル、フェニル、トリル、メトキシフェニル、キシリル、ベンジル、フェネチル又はフェニルプロピルを表すか、又は
ＮＲ１Ｒ２、ＮＲ４Ｒ５、ＮＲ８Ｒ９及びＮＲ１２Ｒ１３は互いに無関係にピロリジノ、ピペラジノ、Ｎ−メチル−ピペラジノ又はピペリジノを表し、
Ｒ１０及びＲ１１は互いに無関係に水素、シアノ、メチル、エチル、プロピル、ブチル、フェニル、トリル、メトキシフェニル又はキシリルを表し、
Ｙは＝Ｙ１−（Ｙ２＝Ｙ３）ｎ−又はＮを表し、
Ｙ１〜Ｙ３はＣＨを表し、
ｎは０又は１を表し、
Ａｎ−はアニオンを表す］
のカチオン性アミノ複素環式色素である。
【００７７】
それぞれ対になって同じである、Ｘ１；Ｘ３、Ｘ２；Ｘ４、Ｒ１；Ｒ４、Ｒ２；Ｒ５及びＲ３；Ｒ６は有利である。
【００７８】
本発明のもう１つの対象は、式（ＶＩＩ）
【００７９】
【化２３】
2004525799.tif 000024
［式中、
Ｘ１はＯ又はＳを表し、
Ｘ２はＣＲ１０又はＮを表し、
Ｒ３は水素、メチル、エチル、プロピル、ブチル、塩素、フェニル、トリル、メトキシフェニル、キシリル又はＮＲ８Ｒ９を表し、
Ｒ１、Ｒ２、Ｒ８及びＲ９は互いに無関係に水素、メチル、エチル、プロピル、ブチル、シアンエチル、ヒドロキシエチル、ヒドロキシプロピル、シクロペンチル、シクロヘキシル、フェニル、トリル、メトキシフェニル、キシリル、ベンジル、フェネチル又はフェニルプロピルを表すか、又は
ＮＲ１Ｒ２及びＮＲ８Ｒ９は互いに無関係にピロリジノ、モルホリノ、ピペラジノ、Ｎ−メチル−ピペラジノ又はピペリジノを表し、
Ｒ１０は水素、シアノ、メチル、エチル、プロピル、ブチル、フェニル、トリル、メトキシフェニル又はキシリルを表し、
環Ｂは、Ｘ５がＮを表す場合、Ｘ５及びＸ６と一緒に、ベンゾチアゾール−２−イリデン、１，３−チアゾール−２−イリデン、ベンズオキサゾール−２−イリデン、ベンズイミダゾール−２−イリデン、３Ｈ−インドール−２−イリデン、ジヒドロピリジン−２−もしくは４−イリデン、ジヒドロキノリン−２−もしくは４−イリデン、１，３−チアゾリン−２−イリデン、１，３−オキサゾリン−２−イリデン、イミダゾリン−２−イリデン又はピロリン−２−イリデンを表すか、又はＸ５−Ｘ７がＳを表す場合、１，３−ジチオール−２−イリデンを表し、その際、上記環はそれぞれメチル、エチル、トリフルオロメチル、メトキシ、エトキシ、フッ素、塩素、臭素、シアノ、ニトロ、メトキシカルボニル、エトキシカルボニル、メチルチオ、ホルミルアミノ、アセチルアミノ、プロピオニルアミノ、フェニル、トリル、メトキシフェニル、フェノキシ、ベンゾイルアミノ、ジメチルアミノ、ジエチルアミノ、ジプロピルアミノ、Ｎ−メチル−Ｎ−フェニルアミノ、ピロリジノ、モルホリノ又はピペリジノの一連の３個までの基により置換されていてよく、
Ｒ７はメチル、エチル、プロピル、ブチル、シアンエチル、ヒドロキシエチル、ヒドロキシプロピル、アリル、シクロペンチル、シクロヘキシル、ベンジル、フェネチル又はフェニルプロピルを表し、
Ｙは＝Ｙ１−（Ｙ２＝Ｙ３）ｎ−又はＮを表し、
Ｙ１〜Ｙ３はＣＨを表し、
ｎは０又は１を表し、
Ｙ０はＣＨ又はＮを表し、
Ａｎ−はアニオンを表す］
のカチオン性アミノ複素環式色素である。
【００８０】
本発明のもう１つの対象は、式（ＶＩＩＩ）
【００８１】
【化２４】
2004525799.tif 000025
［式中、
Ｘ１はＯ又はＳを表し、
Ｘ２はＣＲ１０又はＮを表し、
Ｒ３は水素、メチル、エチル、プロピル、ブチル、塩素、フェニル、トリル、メトキシフェニル、キシリル又はＮＲ８Ｒ９を表し、
Ｒ１、Ｒ２、Ｒ８及びＲ９は互いに無関係に水素、メチル、エチル、プロピル、ブチル、シアンエチル、ヒドロキシエチル、ヒドロキシプロピル、シクロペンチル、シクロヘキシル、フェニル、トリル、メトキシフェニル、キシリル、ベンジル、フェネチル又はフェニルプロピルを表すか、又は
ＮＲ１Ｒ２及びＮＲ８Ｒ９は互いに無関係にピロリジノ、ピペラジノ、Ｎ−メチル−ピペラジノ又はピペリジノを表し、
Ｒ１０は水素、シアノ、メチル、エチル、プロピル、ブチル、フェニル、トリル、メトキシフェニル又はキシリルを表し、
Ｒ１４及びＲ１５は互いに無関係に水素、メチル、エチル、プロピル、ブチル、シアンエチル、ヒドロキシエチル、ヒドロキシプロピル、シクロペンチル、シクロヘキシル、フェニル、トリル、メトキシフェニル、キシリル、ベンジル、フェネチル、フェニルプロピル、ピリジル又は式
【００８２】
【化２５】
2004525799.tif 000026
の基を表すか、又は
ＮＲ１４Ｒ１５はピロリジノ、モルホリノ、ピペラジノ、Ｎ−メチル−ピペラジノ又はピペリジノを表し、
Ｒ１６及びＲ１６’は互いに無関係に水素、メチル、エチル、メトキシ、エトキシ又は塩素を表すか、又は
Ｒ１６；Ｒ１５及び／又はＲ１６’；Ｒ１４は−（ＣＨ２）２−又は−（ＣＨ２）３−架橋を形成し、これは３個までのメチル基により置換されていてよく、
Ｒ１７は水素、メチル、エチル、メトキシ、エトキシ、塩素、シアノ、メトキシカルボニル、エトキシカルボニル、Ｏ−ＣＯ−Ｒ２２、ＮＲ２３−ＣＯ−Ｒ２２、Ｏ−ＳＯ２−Ｒ２２又はＮＲ２３−ＳＯ２−Ｒ２２を表し、
Ｒ２２はメチル、エチル、トリフルオロメチル、シクロペンチル、シクロヘキシル、ベンジル、メトキシ、エトキシ、ジメチルアミノ、ジエチルアミノ、メチルアミノ、フェニル、フェノキシ、アニリノ又はピリジルを表し、
Ｒ２３は水素又はメチルを表し、
Ｙは＝Ｙ１−（Ｙ２＝Ｙ３）ｎ−又はＮを表し、
Ｙ１〜Ｙ３はＣＨを表し、
ｎは０又は１を表し、
Ａｎ−はアニオンを表す］
のカチオン性アミノ複素環式色素である。
【００８３】
書き込まれる吸光性物質は、書き込みしていない状態で光学データ記録媒体の十分に高い反射率（＞１０％）を保証し、並びにフォーカスされた光で点状に照射した際に、光の波長が３６０〜４６０ｎｍ、６００〜６８０ｎｍ又は７５０〜８２０ｎｍの範囲内にある場合に、情報層の熱的変性のために十分に高い吸収を保証する。データ記録媒体上での書き込まれた箇所と書き込まれていない箇所との間のコントラストは、振幅の反射率の変化によって実現され、並びに入射光の相は情報層の熱分解後に変化した光学特性によって実現される。
【００８４】
このカチオン性アミノ複素環式色素は、光学データ記録媒体上に、有利にスピンコーティングによって設けられる。このカチオン性アミノ複素環式色素は相互に混合できるか又は類似するスペクトル特性を示す他の色素と混合することができる。殊に種々のアニオンを有するカチオン性色素を混合することもできる。この情報層は、カチオン性アミノ複素環式色素の他に添加物、例えば結合剤、湿潤剤、安定剤、希釈剤及び増感剤並びに他の成分を含有してよい。
【００８５】
この光学データ記録媒体は、情報層の他に他の層、例えば金属層、誘電層並びに保護層を有していることができる。金属層及び誘電層は、特に反射率の調整及び熱調整のために用いられる。金属はレーザー波長に応じて金、銀、アルミニウム等であってよい。誘電層は例えば二酸化ケイ素及び窒化ケイ素である。保護層は、例えば光硬化性の、塗料、接着層及び保護シートである。
【００８６】
接着層は感圧性であってよい。
【００８７】
感圧接着層は主にアクリル接着剤からなる。特許JP-A 11-273147に開示されたNitto Denko DA-8320又はDA-8310は、例えばこの目的のために使用することができる。
【００８８】
本発明はさらに、有利に透明な基板を有し、この基板の表面上に、光線で書き込み可能な少なくとも１つの情報層、場合により反射層及び／又は場合により保護層が設けられていて、青色光、赤色光又は赤外線、有利にレーザー光により書き込み及び読み出すことができ、前記の情報層は、少なくとも１つの上記の吸光性化合物及び場合により結合剤、湿潤剤、安定剤、希釈剤及び増感剤並びに他の成分を含有するライトワンス型光学データ記録媒体に関する。また、この光学データ記録媒体の構造は以下の通りであってよい：
・有利に透明な基板を有してよく、この基板の表面上に、光線で書き込み可能な少なくとも１つの情報層、場合により反射層及び場合により接着層およびもう１つの有利な透明な基板が設けられている。
・有利に透明な基板を有してよく、この基板の表面上に場合により反射層、光線で書き込み可能な少なくとも１つの情報層、場合により接着層および透明なカバー層が設けられている。
【００８９】
この光学データ記録媒体は例えば次の層構造を示す（図１参照）：透明な基板（１）、場合による保護層（２）、情報層（３）、場合による保護層（４）、場合による接着層（５）、カバー層（６）。
【００９０】
次の光学データ記録媒体の構造が有利である：
−  有利に透明な基板（１）を有し、この表面上に光線で書き込み可能な少なくとも１つの情報層（３）（これは光線で、有利にレーザー光で書き込むことができる）、場合による保護層（４）、場合による接着層（５）、及び透明なカバー層（６）が設けられている。
−  有利に透明な基板（１）を有し、この表面上に保護層（２）、光線、有利にレーザー光で書き込み可能な少なくとも１つの情報層（３）、場合による接着層（５）、及び透明なカバー層（６）が設けられている。
−  有利に透明な基板（１）を有し、この表面上に場合により保護層（２）、光線、有利にレーザー光で書き込み可能な少なくとも１つの情報層（３）、場合による保護層（４）、場合による接着層（５）、及び透明なカバー層（６）が設けられている。
−  有利に透明な基板（１）を有し、この表面上に、光線、有利にレーザー光で書き込み可能な少なくとも１つの情報層（３）、場合による接着層（５）、及び透明なカバー層（６）が設けられている。
【００９１】
また、光学データ記録媒体は例えば次の構造を有する（図２参照）：有利に透明な基板（１１）、情報層（１２）、場合による反射層（１３）、場合による接着層（１４）、他の有利な透明な基板（１５）。
【００９２】
また、光学データ記録媒体は例えば次の構造を有する（図３参照）：有利に透明な基板（２１）、情報層（２２）、場合による反射層（２３）、保護層（２４）。
【００９３】
本発明はさらに、青色光、赤色光又は赤外線で、特にレーザー光で書き込み可能な本発明による光学データ記録媒体に関する
次の実施例は本発明の対象を明確にする。
【実施例】
【００９４】
実施例
実施例１
２−モルホリノ−４−フェニル−チアゾール２．５ｇ、オルトギ酸トリメチルエステル０．５ｇ、過塩素酸リチウム０．５ｇ及び無水酢酸１０ｍｌからなる混合物を、９０℃で３時間撹拌した。冷却後、吸引濾過し、酢酸エチルエステル１０ｍｌで洗浄し、乾燥させた。式
【００９５】
【化２６】
2004525799.tif 000027
の青色粉末１．６ｇ（理論値の５３％）が得られた。
溶融点＝２６５−２７０℃
λｍａｘ（メタノール）＝５８１ｎｍ
λｍａｘ（塩化メチレン）＝５８７ｎｍ
ε＝１０２８００１  ｌ／ｍｏｌ  ｃｍ
λ１／２−λ１／１０（短波長側）＝４２ｎｍ
λ１／２−λ１／１０（長波長側）＝１４．５ｎｍ
溶解性：ＴＦＰ中で＞２％
実施例２
５−ジメチルアミノフラン−２−カルバルデヒド１．４ｇ及び１，３，３−トリメチル−２−メチレン−３Ｈ−インドール１．７４ｇを、氷酢酸５ｍｌと無水酢酸１ｍｌとの混合物中で、４０℃で２時間撹拌した。冷却後、これを水８０ｍｌに注入し、その中にナトリウムテトラフルオロボレート２．６ｇを溶解させた。これを吸引濾過し、水で洗浄し、乾燥させた。式
【００９６】
【化２７】
2004525799.tif 000028
の赤色粉末１．６ｇ（理論値の４２％）が得られた。
溶融点＝２１８℃
λｍａｘ（メタノール）＝５５１ｎｍ
ε＝８７６７０  ｌ／ｍｏｌ  ｃｍ
λ１／２−λ１／１０（短波長側）＝４１ｎｍ
λ１／２−λ１／１０（長波長側）＝３０ｎｍ
溶解性：ＴＦＰ中で＞２％
ガラス状被膜
実施例３
２−ジブチルアミノチアゾール−５−カルバルデヒド２．４ｇ及び１，３，３−トリメチル−２−メチレン−３Ｈ−インドール１．７４ｇを、無水酢酸１０ｍｌ中で９０℃で２時間撹拌した。冷却後、水１００ｍｌに注入した。過塩素酸リチウム２．０ｇを添加した。析出した色素を吸引濾過し、水で洗浄し、乾燥させた。式
【００９７】
【化２８】
2004525799.tif 000029
の赤色粉末４．１ｇ（理論値の８２％）が得られた。
溶融点＝１８５−１９０℃
λｍａｘ（メタノール）＝５２８ｎｍ
ε＝６８５５５  ｌ／ｍｏｌ  ｃｍ
λｍａｘ（塩化メチレン）＝５４３ｎｍ
ε＝９８５５４  ｌ／ｍｏｌ  ｃｍ
λ１／２−λ１／１０（短波長側）＝３４ｎｍ
λ１／２−λ１／１０（長波長側）＝１４ｎｍ
溶解性：ＴＦＰ中で＞２％
ガラス状被膜
実施例４
２−モルホリノ−４−フェニル−チアゾール２．５ｇ、ジメチルアミノベンズアルデヒド１．５ｇ、過塩素酸リチウム１．１ｇ及び無水酢酸２０ｍｌからなる混合物を、８０〜９０℃で２時間撹拌した。冷却後、吸引濾過し、酢酸エチルエステル２０ｍｌで洗浄し、乾燥させた。式
【００９８】
【化２９】
2004525799.tif 000030
の青色粉末３．７ｇ（理論値の７７％）が得られた。
溶融点＝２１８−２２０℃
λｍａｘ（塩化メチレン）＝６０１ｎｍ
ε＝１０４９７０  ｌ／ｍｏｌ  ｃｍ
λ１／２−λ１／１０（短波長側）＝４２ｎｍ
λ１／２−λ１／１０（長波長側）＝１９ｎｍ
溶解性：ＴＦＰ中で＞２％
同様に適当なカチオン性アミノ複素環式色素は表中に記載されている：
式（ＶＩ）の色素
【００９９】
【表１】
2004525799.tif 000031
【０１００】
【表２】
2004525799.tif 000032
【０１０１】
【表３】
2004525799.tif 000033
【０１０２】
式（ＶＩＩ）の色素
【０１０３】
【表４】
2004525799.tif 000034
【０１０４】
【表５】
2004525799.tif 000035
【０１０５】
式（ＶＩＩＩ）の色素
【０１０６】
【表６】
2004525799.tif 000036
【０１０７】
【表７】
2004525799.tif 000037
【０１０８】
【表８】
2004525799.tif 000038
【０１０９】
実施例５８
室温で、例１からの色素の２質量％溶液を、２，２，３，３−テトラフルオロプロパノール中で製造した。この溶液をスピンコーティングを用いて、プレグルーブド(pregrooved)ポリカーボネート基板上に施与した。このプレグルーブドポリカーボネート基板を、射出成形によりディスクとして製造した。ディスクの寸法及びグルーブ構造の寸法は、通常ＤＶＤ−Ｒのために使用されるものに相応していた。情報記録媒体としての色素層を有するディスクを銀１００ｎｍで蒸着させた。引き続き、ＵＶ硬化可能なアクリル塗料をスピンコーティングにより施与し、ＵＶランプを用いて硬化させた。ディスクを、光学ベンチ上に構成され、直線偏光を発生させるためのダイオードレーザー（λ＝６５６ｎｍ）、偏光に敏感なビームスプリッタ、λ／４小片、及び開口数ＮＡ＝０．６を有する可動に懸吊された集束レンズ（アクチュエーターレンズ）からなる動的書き込み試験構造体を用いて試験した。ディスクの反射層から反射された光を、上記の偏光に敏感なビームスプリッターを用いてビーム路から偏光させ、非点収差(astigmatisch)レンズを通して４象限検出器上にピント調節した。線速度Ｖ＝３．５ｍ／ｓ及び書込み効率Ｐｗ＝８ｍＷの場合に、信号雑音比Ｃ／Ｎ＝３６ｄＢを測定した。この場合、書き込み効率を振動パルスシーケンスとして示し、この場合このディスクを交互に上記の書き込み効率Ｐｗで１μｓの間照射し、読み出し効率Ｐｒ≒０．６ｍＷで４μｓの間照射した。このディスクをそれ自体が１回回転するまで前記の振動パルスシーケンスで照射した。その後に、こうして得られたマークを読み出し効率Ｐｒで読み出し、上記の信号雑音比Ｃ／Ｎを測定した。
【０１１０】
実施例５９
同様の基板上で、同様に、式
【０１１１】
【化３０】
2004525799.tif 000039
の色素６６．７質量％と、例１からの色素３３．３質量％とからなる色素層を準備し、金１２０ｎｍを蒸着させ、引き続き金層上にＳｉＯ２００ｎｍを蒸着させた。引き続き、その上に、ＵＶ硬化可能なアクリル塗料層を施与した。同じ測定条件下において、書き込み効率Ｐｗ＝２１ｍＷの場合、Ｃ／Ｎ＝４２ｄＢが得られた。
【図面の簡単な説明】
【０１１２】
【図１】光学データ記録媒体の層構造を示す図。
【０１１３】
【図２】光学データ記録媒体の層構造を示す図。
【０１１４】
【図３】光学データ記録媒体の層構造を示す図。
【符号の説明】
【０１１５】
１    基板
２    保護層
３    情報層
４    保護層
５    接着層
６    カバー層
１１  基板
１２  情報層
１３  反射層
１４  接着層
１５  基板
２１  基板
２２  情報層
２３  反射層
２４  保護層
【図１】
2004525799.tif 000065
【図２】
2004525799.tif 000066
【図３】
2004525799.tif 000067
【国際公開パンフレット】
2004525799.tif 000068
2004525799.tif 000069
2004525799.tif 000070
2004525799.tif 000071
2004525799.tif 000072
2004525799.tif 000073
2004525799.tif 000074
2004525799.tif 000075
2004525799.tif 000076
2004525799.tif 000077
2004525799.tif 000078
2004525799.tif 000079
2004525799.tif 000080
2004525799.tif 000081
2004525799.tif 000082
2004525799.tif 000083
2004525799.tif 000084
2004525799.tif 000085
2004525799.tif 000086
2004525799.tif 000087
2004525799.tif 000088
2004525799.tif 000089
2004525799.tif 000090
2004525799.tif 000091
2004525799.tif 000092
2004525799.tif 000093
2004525799.tif 000094
2004525799.tif 000095
2004525799.tif 000096
2004525799.tif 000097
2004525799.tif 000098
2004525799.tif 000099
2004525799.tif 000100
2004525799.tif 000101
2004525799.tif 000102
2004525799.tif 000103
2004525799.tif 000104
2004525799.tif 000105
2004525799.tif 000106
2004525799.tif 000107
2004525799.tif 000108
2004525799.tif 000109
2004525799.tif 000110
2004525799.tif 000111
2004525799.tif 000112
2004525799.tif 000113
2004525799.tif 000114
2004525799.tif 000115
2004525799.tif 000116
2004525799.tif 000117
2004525799.tif 000118
2004525799.tif 000119
2004525799.tif 000120
2004525799.tif 000121
2004525799.tif 000122
2004525799.tif 000123
2004525799.tif 000124
2004525799.tif 000125
2004525799.tif 000126
2004525799.tif 000127
2004525799.tif 000128
2004525799.tif 000129
2004525799.tif 000130
2004525799.tif 000131
2004525799.tif 000132
2004525799.tif 000133
2004525799.tif 000134
2004525799.tif 000135
2004525799.tif 000136
2004525799.tif 000137
2004525799.tif 000138
2004525799.tif 000139
2004525799.tif 000140
2004525799.tif 000141
2004525799.tif 000142
2004525799.tif 000143
2004525799.tif 000144
2004525799.tif 000145
2004525799.tif 000146
2004525799.tif 000147
2004525799.tif 000148
2004525799.tif 000149
2004525799.tif 000150
2004525799.tif 000151
2004525799.tif 000152
2004525799.tif 000153
2004525799.tif 000154
2004525799.tif 000155
2004525799.tif 000156
【国際調査報告】
2004525799.tif 000157
2004525799.tif 000158
2004525799.tif 000159
2004525799.tif 000160
2004525799.tif 000161
2004525799.tif 000162